(57)【要約】  本開示は、無線通信システムにおける電子機器、無線通信方法に関する。本開示による電子機器は一つ又は複数の処理回路を含み、前記処理回路は、アップリンクスケジューリングライセンスシグナリングをキャリアするダウンリンクサブフレームと、前記アップリンクスケジューリングライセンスシグナリングによってスケジューリングされる前記無線通信システムにおけるユーザー機器がアンライセンスチャネルで行う物理アップリンク共有チャネルＰＵＳＣＨ伝送を含むアップリンク伝送をキャリアするアップリンクサブフレームとの間の時間マッピング情報を配置する、操作を実行するように配置されている。本開示による電子機器と無線通信方法を使用すると、アップリンクスケジューリングライセンスシグナリングをキャリアするダウンリンクサブフレームと、ＰＵＳＣＨ伝送を含むアップリンク伝送をキャリアするアップリンクサブフレームとの間の時間マッピング関係を確定することができ、これにより、アンライセンスチャネルに対する有効な利用を実現する。【選択図】図４
2019511859.tif 000002
【特許請求の範囲】
【請求項１】
無線通信システムにおける電子機器であって、
一つ又は複数の処理回路を含み、
前記処理回路は、
アップリンクスケジューリングライセンスシグナリングをキャリアするダウンリンクサブフレームと、前記アップリンクスケジューリングライセンスシグナリングによってスケジューリングされる前記無線通信システムにおけるユーザー機器がアンライセンスチャネルで行う物理アップリンク共有チャネルＰＵＳＣＨ伝送を含むアップリンク伝送をキャリアするアップリンクサブフレームとの間の時間マッピング情報を配置する、操作を実行するように配置されている電子機器。
【請求項２】
前記処理回路は、さらに、前記時間マッピング情報を物理層シグナリング又はメディアアクセス制御ＭＡＣ層シグナリングに添加して、前記ユーザー機器に通知するように配置されている請求項１に記載の電子機器。
【請求項３】
前記時間マッピング情報を配置する場合に、前記処理回路は、一つのアップリンクスケジューリングライセンスシグナリングをキャリアする一つのダウンリンクサブフレームを、前記一つのアップリンクスケジューリングライセンスシグナリングによってスケジューリングされるＰＵＳＣＨ伝送を含むアップリンク伝送をキャリアする複数のアップリンクサブフレームにマッピングする請求項１に記載の電子機器。
【請求項４】
前記ダウンリンクサブフレームは、複数のアップリンクスケジューリングライセンスシグナリングをキャリアし、且つ前記処理回路は、さらに、
前記複数のアップリンクスケジューリングライセンスシグナリングのそれぞれをキャリアするダウンリンクサブフレームと、前記複数のアップリンクスケジューリングライセンスシグナリングのそれぞれによってスケジューリングされるＰＵＳＣＨ伝送を含むアップリンク伝送をキャリアする一つのアップリンクサブフレームとの間の各時間マッピング情報を配置する、操作を実行するように配置されている請求項１に記載の電子機器。
【請求項５】
前記処理回路は、さらに、
一つのアップリンクスケジューリングライセンスシグナリングを、次のアップリンクスケジューリングライセンスシグナリングをキャリアする次のダウンリンクサブフレームの前の全てのアップリンクサブフレームでキャリアされるＰＵＳＣＨ伝送を含むアップリンク伝送をスケジューリングできるように設置し、
前記一つのアップリンクスケジューリングライセンスシグナリングをキャリアするダウンリンクサブフレームと、実際に前記一つのアップリンクスケジューリングライセンスシグナリングによってスケジューリングされるＰＵＳＣＨ伝送を含むアップリンク伝送をキャリアするアップリンクサブフレームとの間の実時間マッピング情報を配置する、操作を実行するように配置されている請求項１に記載の電子機器。
【請求項６】
前記処理回路は、さらに、
前記ユーザー機器が前記アンライセンスチャネルでＰＵＳＣＨ伝送を含むアップリンク伝送を行う前にチャネル検出プロセスを実行するチャネル検出タイプに関する配置情報を生成する、操作を実行するように配置されている請求項１に記載の電子機器。
【請求項７】
前記配置情報を生成する場合に、前記処理回路は、さらに、
前記アンライセンスチャネルにおける複数のアンライセンスキャリアを互いに独立に設置し、
前記複数のアンライセンスキャリアのそれぞれに対して、
前記ＰＵＳＣＨ伝送を含むアップリンク伝送をキャリアするアップリンクサブフレームが前記無線通信システムにおける基地局側のチャネル検出が成功した後の最大チャネル占有時間ＭＣＯＴ内に入る場合に、前記チャネル検出タイプを第１のチャネル検出プロセスに配置し、
前記ＰＵＳＣＨ伝送をキャリアするアップリンクサブフレームが前記ＭＣＯＴ以外に入る場合に、前記チャネル検出タイプを第２のチャネル検出プロセスに配置する、操作を実行するように配置されている請求項６に記載の電子機器。
【請求項８】
前記配置情報を生成する場合には、前記処理回路は、さらに、
前記アンライセンスチャネルにおける複数のアンライセンスキャリアのうち一つをプライマリチャネルに設置し、且つ、他のアンライセンスキャリアをセカンダリチャネルに設置し、
前記セカンダリチャネルに対するチャネル検出タイプを第１のチャネル検出プロセスに配置し、
前記プライマリチャネルに対して、
前記ＰＵＳＣＨ伝送を含むアップリンク伝送をキャリアするアップリンクサブフレームが前記無線通信システムにおける基地局側のチャネル検出が成功した後の最大チャネル占有時間ＭＣＯＴ内に入る場合に、前記チャネル検出タイプを第１のチャネル検出プロセスに配置し、
前記ＰＵＳＣＨ伝送をキャリアするアップリンクサブフレームが前記ＭＣＯＴ以外に入る場合に、前記チャネル検出タイプを第２のチャネル検出プロセスに配置する、操作を実行するように配置されている請求項６に記載の電子機器。
【請求項９】
前記処理回路は、生成された配置情報を物理層シグナリングに添加するために、ダウンリンク制御情報ＤＣＩ  ｆｏｒｍａｔ  １Ｃを再利用する請求項７又は８に記載の電子機器。
【請求項１０】
前記処理回路は、前記配置情報として、サブフレーム境界情報を生成し、前記サブフレーム境界情報は、前記無線通信システムにおける基地局側のチャネル検出が成功した後の最大チャネル占有時間ＭＣＯＴ内に入る最後の一つのサブフレームを指示する請求項６に記載の電子機器。
【請求項１１】
前記第１のチャネル検出プロセスは、ランダムバックオフを含まないエネルギー検出プロセスである請求項７又は８に記載の電子機器。
【請求項１２】
前記第２のチャネル検出プロセスは、ランダムバックオフを含み且つコンテンションウィンドウのサイズが可変であるエネルギー検出プロセスである請求項７又は８に記載の電子機器。
【請求項１３】
前記処理回路は、さらに、
前記アンライセンスチャネル上のアンライセンスキャリアにチャネル検出パラメーターを配置し、
配置されたチャネル検出パラメーターを物理層又はメディアアクセス制御ＭＡＣ層シグナリングに添加して、前記ユーザー機器に通知する、操作を実行するように配置されている請求項１又は６に記載の電子機器。
【請求項１４】
先の同一のアップリンクスケジューリングライセンスシグナリングによってスケジューリングされたＰＵＳＣＨ伝送の結果に基づいて、前記処理回路は、前記アンライセンスキャリアに、前記ユーザー機器が前記同一のアップリンクスケジューリングライセンスシグナリングによってスケジューリングされるＰＵＳＣＨ伝送を含むアップリンク伝送を行う前にチャネル検出プロセスを実行する際に使用するチャネル検出パラメーターを配置する請求項１３に記載の電子機器。
【請求項１５】
先の同一のダウンリンクサブフレームでキャリアされるアップリンクスケジューリングライセンスシグナリングによってスケジューリングされたＰＵＳＣＨ伝送の結果に基づいて、前記処理回路は、前記アンライセンスキャリアに、前記ユーザー機器が前記同一のダウンリンクサブフレームでキャリアされるアップリンクスケジューリングライセンスシグナリングによってスケジューリングされるＰＵＳＣＨ伝送を含むアップリンク伝送を行う前にチャネル検出プロセスを実行する際に使用されるチャネル検出パラメーターを配置する請求項１３に記載の電子機器。
【請求項１６】
前記チャネル検出パラメーターは、ランダムバックオフを含み且つコンテンションウィンドウのサイズが可変であるエネルギー検出プロセスにおいて使用されるコンテンションウィンドウのサイズである請求項１３に記載の電子機器。
【請求項１７】
前記無線通信システムはライセンス補助アクセスＬＡＡシステムであり、前記電子機器は基地局であり、且つトランシーバを含み、前記トランシーバは、前記ユーザー機器と無線通信を行うように配置されている請求項１〜１６のいずれか一項に記載の電子機器。
【請求項１８】
無線通信システムにおける電子機器であって、
一つ又は複数の処理回路を含み、
前記処理回路は、
前記無線通信システムにおける基地局からのダウンリンクシグナリングを取得し、
前記ダウンリンクシグナリングから、アップリンクスケジューリングライセンスシグナリングをキャリアするダウンリンクサブフレームと、前記アップリンクスケジューリングライセンスシグナリングによってスケジューリングされるアンライセンスチャネルで行われる物理アップリンク共有チャネルＰＵＳＣＨ伝送を含むアップリンク伝送をキャリアするアップリンクサブフレームとの間の時間マッピング情報を抽出する、操作を実行するように配置されている電子機器。
【請求項１９】
前記処理回路は、前記操作を実行する場合に、
一つのアップリンクスケジューリングライセンスシグナリングを取得し、
前記一つのアップリンクスケジューリングライセンスシグナリングから、前記一つのアップリンクスケジューリングライセンスシグナリングをキャリアする一つのダウンリンクサブフレームと、前記一つのアップリンクスケジューリングライセンスシグナリングによってスケジューリングされるＰＵＳＣＨ伝送を含むアップリンク伝送をキャリアする複数のアップリンクサブフレームとの間の時間マッピング情報を抽出する請求項１８に記載の電子機器。
【請求項２０】
前記処理回路は、前記操作を実行する場合に、
同一のダウンリンクサブフレームでキャリアされる複数のアップリンクスケジューリングライセンスシグナリングを取得し、
前記複数のアップリンクスケジューリングライセンスシグナリングのそれぞれから、前記同一のダウンリンクサブフレームと、前記複数のアップリンクスケジューリングライセンスシグナリングのそれぞれによってスケジューリングされるＰＵＳＣＨ伝送を含むアップリンク伝送をキャリアする一つのアップリンクサブフレームとの間の各時間マッピング情報を抽出する請求項１８に記載の電子機器。
【請求項２１】
前記処理回路は、一つのアップリンクスケジューリングライセンスシグナリングを、次のアップリンクスケジューリングライセンスシグナリングをキャリアする次のダウンリンクサブフレームの前の全てのアップリンクサブフレームでキャリアされるＰＵＳＣＨ伝送をスケジューリングできるように確定し、且つ、ダウンリンクシグナリングから、前記時間マッピング情報として、前記一つのアップリンクスケジューリングライセンスシグナリングをキャリアするダウンリンクサブフレームと、実際に前記一つのアップリンクスケジューリングライセンスシグナリングによってスケジューリングされるＰＵＳＣＨ伝送を含むアップリンク伝送をキャリアするアップリンクサブフレームとの間の実時間マッピング情報を抽出する請求項１８に記載の電子機器。
【請求項２２】
前記処理回路は、さらに、
前記時間マッピング情報に基づいて、前記アンライセンスチャネルでＰＵＳＣＨ伝送を含むアップリンク伝送を行う指令を生成する、操作を実行するように配置されている請求項１８に記載の電子機器。
【請求項２３】
前記処理回路は、さらに、
前記ダウンリンクシグナリングから、前記アンライセンスチャネルでＰＵＳＣＨ伝送を含むアップリンク伝送を行う前にチャネル検出プロセスを実行するチャネル検出タイプに関する配置情報を抽出する、操作を実行するように配置されている請求項１８に記載の電子機器。
【請求項２４】
前記処理回路は、再利用されるダウンリンク制御情報ＤＣＩ  ｆｏｒｍａｔ  １Ｃから前記配置情報を抽出する請求項２３に記載の電子機器。
【請求項２５】
前記処理回路は、前記配置情報として、サブフレーム境界情報を取得し、前記サブフレーム境界情報は前記無線通信システムにおける基地局側のチャネル検出が成功した後の最大チャネル占有時間ＭＣＯＴ内に入る最後の一つのサブフレームを指示する請求項２３に記載の電子機器。
【請求項２６】
前記処理回路は、さらに、
前記配置情報に基づいて、前記アンライセンスチャネルでＰＵＳＣＨ伝送を含むアップリンク伝送を行う前に第１のチャネル検出プロセス又は第２のチャネル検出プロセスを実行する指令を生成する、操作を実行するように配置されており、
前記第１のチャネル検出プロセスは、ランダムバックオフを含まないエネルギー検出プロセスであり、且つ前記第２のチャネル検出プロセスは、ランダムバックオフを含み且つコンテンションウィンドウのサイズが可変であるエネルギー検出プロセスである請求項２３に記載の電子機器。
【請求項２７】
前記処理回路は、さらに、
前記ダウンリンクシグナリングから、チャネル検出パラメーターを抽出し、
抽出されたチャネル検出パラメーターに基づいて、前記アンライセンスチャネルにおけるアンライセンスキャリアにチャネル検出パラメーターを配置する、操作を実行するように配置されている請求項１８又は２３に記載の電子機器。
【請求項２８】
前記チャネル検出パラメーターは、ランダムバックオフを含み且つコンテンションウィンドウのサイズが可変であるエネルギー検出プロセスにおいて使用されるコンテンションウィンドウのサイズである請求項２７に記載の電子機器。
【請求項２９】
前記無線通信システムはライセンス補助アクセスＬＡＡシステムであり、前記電子機器はユーザー機器であり、且つトランシーバを含み、前記トランシーバは前記基地局と無線通信を行うように配置されている請求項１８〜２８のいずれか一項に記載の電子機器。
【請求項３０】
無線通信システムであって、基地局とユーザー機器とを含み、
前記基地局は、第１のトランシーバ及び一つ又は複数の第１の処理回路を含み、
前記第１の処理回路は、
アップリンクスケジューリングライセンスシグナリングをキャリアするダウンリンクサブフレームと、前記アップリンクスケジューリングライセンスシグナリングによってスケジューリングされる、前記ユーザー機器がアンライセンスチャネルで行う物理アップリンク共有チャネルＰＵＳＣＨ伝送を含むアップリンク伝送をキャリアするアップリンクサブフレームとの間の時間マッピング情報を配置し、
前記第１のトランシーバに前記時間マッピング情報を前記ユーザー機器に通知させる、操作を実行するように配置されており、
前記ユーザー機器は、第２のトランシーバ及び一つ又は複数の第２の処理回路を含み、
前記第２の処理回路は、
前記第２のトランシーバにより前記基地局からのダウンリンクシグナリングを取得し、
前記ダウンリンクシグナリングから前記時間マッピング情報を抽出する、操作を実行するように配置されている無線通信システム。
【請求項３１】
無線通信システムにおいて無線通信を行うための方法であって、
アップリンクスケジューリングライセンスシグナリングをキャリアするダウンリンクサブフレームと、前記アップリンクスケジューリングライセンスシグナリングによってスケジューリングされる、前記無線通信システムにおけるユーザー機器がアンライセンスチャネルで行う物理アップリンク共有チャネルＰＵＳＣＨ伝送を含むアップリンク伝送をキャリアするアップリンクサブフレームとの間の時間マッピング情報を配置し、
前記時間マッピング情報を前記ユーザー機器に通知することを含む方法。
【請求項３２】
無線通信システムにおいて無線通信を行うための方法であって、
前記無線通信システムにおける基地局からのダウンリンクシグナリングを取得し、
前記ダウンリンクシグナリングから、アップリンクスケジューリングライセンスシグナリングをキャリアするダウンリンクサブフレームと、前記アップリンクスケジューリングライセンスシグナリングによってスケジューリングされる、アンライセンスチャネルで行われる物理アップリンク共有チャネルＰＵＳＣＨ伝送を含むアップリンク伝送をキャリアするアップリンクサブフレームとの間の時間マッピング情報を抽出することを含む方法。
【発明の詳細な説明】
【技術分野】
【０００１】
本願は、２０１６年４月１日に中国専利局に提出した、出願番号が２０１６１０２０２７２４．３であって、発明の名称が「無線通信システムにおける電子機器と無線通信方法」である中国特許出願の優先権を主張し、本願で、その全ての内容を援用するものとする。
【０００２】
本開示は無線通信の技術分野に関し、具体的に、無線通信システムにおける電子機器と、無線通信システムにおいて無線通信を行うための方法に関する。
【背景技術】
【０００３】
この部分は、本開示に関する背景情報を提供し、必ずしも従来の技術ではない。
【０００４】
無線ネットワークの発展につれて、キャリアするサービスがますます多くなっているので、大量のデータ伝送をサポートためには、規定外の周波数スペクトルリソースが必要である。セルラー無線ネットワークのオペレーターは従来のＬＴＥ（Ｌｏｎｇ  Ｔｅｒｍ  Ｅｖｏｌｕｔｉｏｎ：ロング・ターム・エボリューション）ネットワークを使用する上で、如何にアンライセンス周波数スペクトルリソース、例えば、５ＧＨｚ  ＩＳＭ（Ｉｎｄｕｓｔｒｉａｌ  Ｓｃｉｅｎｔｉｆｉｃ  Ｍｅｄｉｃａｌ、工業、科学及び医療）バンドを使用するかを検討し始めた。本開示は、無線通信ネットワークにおけるＬＡＡ（Ｌｉｃｅｎｓｅｄ  Ａｓｓｉｓｔｅｄ  Ａｃｃｅｓｓ：ライセンス補助アクセス）通信に関する。
【０００５】
伝統のＴＤＤ（Ｔｉｍｅ  Ｄｉｖｉｓｉｏｎ  Ｄｕｐｌｅｘｉｎｇ，時分割複信）とＦＤＤ（Ｆｒｅｑｕｅｎｃｙ  Ｄｉｖｉｓｉｏｎ  Ｄｕｐｌｅｘｉｎｇ，周波数分割複信）無線通信方式において、ＵＬ  ｇｒａｎｔ（アップリンクスケジューリングライセンス）  シグナリングをキャリアするＳＦ（ＳｕｂＦｒａｍｅ：サブフレーム）と、ＵＬ  ｇｒａｎｔによってスケジューリングされたＰＵＳＣＨ（Ｐｈｙｓｉｃａｌ  Ｕｐｌｉｎｋ  Ｓｈａｒｅｄ  Ｃｈａｎｎｅｌ：物理アップリンク共有チャネル）伝送をキャリアするＳＦとのマッピング関係は、確定され既知である。なお、ＬＡＡ通信において、アップリンク伝送とダウンリンク伝送とに違いがあり、ダウンリンクで確定されたマッピング関係により、ダウンリンク伝送を定めることができない。従って、ＵＥ（Ｕｓｅｒ  Ｅｑｕｉｐｍｅｎｔ：ユーザー機器）がアンライセンスチャネルでＰＵＳＣＨ伝送を行う際に、ＵＬ  ｇｒａｎｔと、対応してスケジューリングされたＰＵＳＣＨ伝送との間のマッピング関係は、さらに議論が必要です。
【０００６】
また、ＵＥがアンライセンスチャネルでアップリンク伝送を行う際に、まず、チャネル検出プロセスを行ってチャネルがアイドルであるかどうかを検出する必要があり、但し、いつ、どのタイプのチャネル検出プロセスを採用するか及びチャネル検出パラメーターは異なるアップリンク伝送時間帯で調整が必要であるかは、アンライセンスチャネルで伝送を行うのに解決すべき問題である。
【０００７】
従って、以上の問題の少なくとも一つに対して、ＵＥのアンライセンスチャネルでのＰＵＳＣＨ伝送問題を解決することで、アンライセンスチャネルに対する有効な利用を実現するために、新しい無線通信技術案を提供する必要がある。
【発明の概要】
【発明が解決しようとする課題】
【０００８】
この部分は、本開示の一般的概要を提供し、全部の範囲又は全部の特徴の完全な開示ではない。
【０００９】
本開示の目的としては、アンライセンスチャネルに対する有効な利用を実現するように、無線通信システムにおける電子機器と、無線通信システムにおいて無線通信を行うための方法を提供することである。
【課題を解決するための手段】
【００１０】
本開示の一局面によれば、無線通信システムにおける電子機器を提供し、当該電子機器は一つ又は複数の処理回路を含み、前記処理回路は、アップリンクスケジューリングライセンスシグナリングをキャリアするダウンリンクサブフレームと、前記アップリンクスケジューリングライセンスシグナリングにスケジューリングされる、前記無線通信システムにおけるユーザー機器がアンライセンスチャネルで行う物理アップリンク共有チャネルＰＵＳＣＨ伝送を含むアップリンク伝送をキャリアするアップリンクサブフレームとの間の時間マッピング情報を配置する、操作を実行するように配置されている。
【００１１】
本開示の他の一局面によれば、無線通信システムにおける電子機器を提供し、当該電子機器は一つ又は複数の処理回路を含み、前記処理回路は、前記無線通信システムにおける基地局からのダウンリンクシグナリングを取得し、前記ダウンリンクシグナリングから、アップリンクスケジューリングライセンスシグナリングをキャリアするダウンリンクサブフレームと、前記アップリンクスケジューリングライセンスシグナリングによってスケジューリングされる、アンライセンスチャネルで行われる物理アップリンク共有チャネルＰＵＳＣＨ伝送を含むアップリンク伝送をキャリアするアップリンクサブフレームとの間の時間マッピング情報を抽出する、操作を実行するように配置されている。
【００１２】
本開示の他の一局面によれば、無線通信システムを提供し、当該無線通信システムは基地局とユーザー機器とを含み、前記基地局は第１のトランシーバ及び一つ又は複数の第１の処理回路を含み、前記第１の処理回路は、アップリンクスケジューリングライセンスシグナリングをキャリアするダウンリンクサブフレームと、前記アップリンクスケジューリングライセンスシグナリングによってスケジューリングされる、前記ユーザー機器がアンライセンスチャネルで行う物理アップリンク共有チャネルＰＵＳＣＨ伝送を含むアップリンク伝送をキャリアするアップリンクサブフレームとの間の時間マッピング情報を配置し、前記第１のトランシーバに前記時間マッピング情報を前記ユーザー機器に通知させる、操作を実行するように配置されており、前記ユーザー機器は第２のトランシーバ及び一つ又は複数の第２の処理回路を含み、前記第２の処理回路は、前記第２のトランシーバにより前記基地局からのダウンリンクシグナリングを取得し、前記ダウンリンクシグナリングから前記時間マッピング情報を抽出する、操作を実行するように配置されている。
【００１３】
本開示の他の一局面によれば、無線通信システムにおいて無線通信を行うための方法を提供し、当該方法は、アップリンクスケジューリングライセンスシグナリングをキャリアするダウンリンクサブフレームと、前記アップリンクスケジューリングライセンスシグナリングによってスケジューリングされる、前記無線通信システムにおけるユーザー機器がアンライセンスチャネルで行う物理アップリンク共有チャネルＰＵＳＣＨ伝送を含むアップリンク伝送をキャリアするアップリンクサブフレームとの間の時間マッピング情報を配置し、前記時間マッピング情報を前記ユーザー機器に通知することを含む。
【００１４】
本開示の他の一局面によれば、無線通信システムにおいて無線通信を行うための方法を提供し、当該方法は、前記無線通信システムにおける基地局からのダウンリンクシグナリングを取得し、前記ダウンリンクシグナリングから、アップリンクスケジューリングライセンスシグナリングをキャリアするダウンリンクサブフレームと、前記アップリンクスケジューリングライセンスシグナリングによってスケジューリングされる、アンライセンスチャネルで行われる物理アップリンク共有チャネルＰＵＳＣＨ伝送を含むアップリンク伝送をキャリアするアップリンクサブフレームとの間の時間マッピング情報を抽出することを含む。
【００１５】
本開示による無線通信システムにおける電子機器と無線通信システムにおいて無線通信を行うための方法とを使用すると、アップリンクスケジューリングライセンスシグナリングをキャリアするダウンリンクサブフレームと、ＰＵＳＣＨ伝送を含むアップリンク伝送をキャリアするアップリンクサブフレームとの間の時間マッピング関係を確定することができ、これによりアンライセンスチャネルに対する有効な利用を実現する。
【００１６】
さらなる適用の範囲は、ここで提供される記述より明らかになるだろう。本概要の記述および特定例は、例示のみを目的としており、本開示の範囲を限定するように意図されるものではない。
【図面の簡単な説明】
【００１７】
ここに記載される図面は、選択された実施例の例示を目的としてすべての可能な実施ではなく、本開示の範囲を限定するように意図されるものではない。図面において、
【図１】アンライセンスバンド上のＰＵＳＣＨ伝送を図示する模式図である。
【図２】同一のＭＣＯＴ内のＵＬ  ｇｒａｎｔとＵＬ伝送バーストとの間の関係の状態を図示する模式図である。
【図３】スパンＭＣＯＴのＵＬ  ｇｒａｎｔとＵＬ伝送バーストとの間の関係の状態を図示する模式図である。
【図４】本開示の実施例による、無線通信システムにおける電子機器の構造を図示するブロック図である。
【図５】本開示の最適な実施例によるＵＬ  ｇｒａｎｔ設計を図示する模式図である。
【図６】本開示の他の最適な実施例によるＵＬ  ｇｒａｎｔ設計を図示する模式図である。
【図７】本開示の他の実施例による無線通信システムにおける電子機器の構造を図示するブロック図である。
【図８】本開示の実施例による暗黙的シグナリング設計を図示する模式図である。
【図９】本開示の他の実施例による無線通信システムにおける電子機器の構造を図示するブロック図である。
【図１０】図９の電子機器に含まれる生成ユニットの構造を図示するブロック図である。
【図１１】タイプＡマルチキャリア操作を使用する場合におけるチャネル検出タイプ配置を図示するフローチャートである。
【図１２】タイプＡマルチキャリア操作を使用する場合におけるチャネル検出タイプ配置の結果の例を図示する模式図である。
【図１３】タイプＢマルチキャリア操作を使用する場合におけるチャネル検出タイプ配置を図示するフローチャートである。
【図１４】タイプＢマルチキャリア操作を使用する場合におけるチャネル検出タイプ配置の結果の例を図示する模式図である。
【図１５】本開示の実施例によるチャネル検出タイプ指示シグナリングの設計を図示するフローチャートである。
【図１６】本開示の実施例によるチャネル検出タイプ指示シグナリングの設計を図示するフローチャートである。
【図１７】本開示の他の実施例によるチャネル検出タイプ指示シグナリングの設計を図示するフローチャートである。
【図１８】本開示の他の実施例によるチャネル検出タイプ指示シグナリングの設計を図示するフローチャートである。
【図１９】本開示の他の実施例による無線通信システムにおける電子機器の構造を図示するブロック図である。
【図２０】本開示の実施例によるチャネル検出パラメーターの設計を図示する模式図である。
【図２１】本開示の他の実施例による無線通信システムにおける電子機器の構造を図示するブロック図である。
【図２２】本開示の実施例による無線通信方法を図示するフローチャートである。
【図２３】本開示の他の実施例による無線通信方法を図示するフローチャートである。
【図２４】本開示に適用するｅＮＢ（ｅｖｏｌｕｔｉｏｎ  Ｎｏｄｅ  Ｂａｓｅ  Ｓｔａｔｉｏｎ：進化型ノード基地局）の模式的配置の第１の例を示すブロック図である
【図２５】本開示に適用するｅＮＢの模式的配置の第２の例を示すブロック図である。
【図２６】本開示に適用するスマートフォンの模式的配置の例を示すブロック図である。
【図２７】本開示に適用するカーナビゲーションデバイスの模式的配置の例を示すブロック図である。
【発明を実施するための形態】
【００１８】
本開示は容易に様々な修正及び置換形式に供するが、その特定の実施例は既に例として図面に示され、ここで詳細に記述する。しかしながら、ここで特定の実施例に対する記述は本開示を開示される具体的な形式に限定するものではなく、逆に、本開示の目的は本開示の精神と範囲に入る全ての修正、等価、置換をカバーすることであると理解されるべきである。それに、幾つかの図面にわたって、相応する符号が相応する部品を指す。
【００１９】
具体実施方式
ここで、図面を参照して本開示の例をより十分に記述する。以下の記述は実際には例示的なものであり、本開示、応用又は用途を限定するものではない。
【００２０】
本開示を詳しくするために、例示実施例を提供し、そして、当業者にその範囲を十分に伝える。多くの特定の細部、例えば、特定の部品、装置及び方法の例を述べて、本開示の実施例の詳しい理解を提供する。当業者にとって、特定の細部を使用する必要がなく、例示実施例は多い異なる形態にて実施され、それらはいずれも本開示の範囲を限定すると理解されるべきではないことは明らかである。幾つかの例示実施例において、よく知られるプロセス、よく知られる構成及びよく知られる技術を詳細に記述していない。
【００２１】
本開示に係るＵＥ（Ｕｓｅｒ  Ｅｑｕｉｐｍｅｎｔ：ユーザー機器）は、移動端末、コンピューター、車載デバイスなどの無線通信機能を有する端末を含むがこれに限定されるものではない。さらに、具体的に記述される機能によって、本開示にかかるＵＥはＵＥ自身、又はその中の部品例えばチップであってもよい。また、類似して、本開示にかかる基地局は、例えば、ｅＮＢ（ｅｖｏｌｕｔｉｏｎ  Ｎｏｄｅ  Ｂａｓｅ  Ｓｔａｔｉｏｎ：進化型ノード基地局）又は、ｅＮＢにおける部品例えばチップであってもよい。
【００２２】
本開示において、チャネルとキャリアとは対応すると認められ、即ち、一つのキャリアは一つのチャネルに対応する。以下の記述において、キャリアとチャネルの使用は、特に区分しない。また、本開示の実施例によれば、チャネル検出プロセスは、チャネルがアイドルであるかどうかを検出し、ＬＢＴ（Ｌｉｓｔｅｎ  Ｂｅｆｏｒｅ  Ｔｒａｎｓｍｉｔ）プロセスであってもよい。以下の幾つかの実施例において、ＬＢＴプロセスを例として、本開示によるマルチキャリアチャネル検出プロセスについて説明する。注意すべきことは、本開示において、チャネル検出プロセスは、ＬＢＴプロセスに限定せず、他のタイプのチャネル検出プロセスを含む。これらの他のタイプのチャネル検出プロセスについては、本開示による電子機器と方法を実施する場合に、類似する。
【００２３】
ｅＬＡＡ（Ｅｎｈａｎｃｅｄ  Ｌｉｃｅｎｓｅｄ  Ａｓｓｉｓｔｅｄ  Ａｃｃｅｓｓ：拡張ライセンス補助アクセス）ＰＵＳＣＨ（Ｐｈｙｓｉｃａｌ  Ｕｐｌｉｎｋ  Ｓｈａｒｅｄ  Ｃｈａｎｎｅｌ：物理アップリンク共有チャネル）については、少なくともＲＢ（Ｒｅｓｏｕｒｃｅ  Ｂｌｏｃｋ：リソースブロック）レベルのマルチクラスタ伝送（２よりも大きい）をサポートすることが可能であり、その詳細な設計はさらに議論が必要である。また、ＰＵＳＣＨのレガシーリソース割当（ｌｅｇａｃｙ  ｒｅｓｏｕｒｃｅ  ａｌｌｏｃａｔｉｏｎ）のサポートについても、さらに議論が必要である。
【００２４】
ｅＬＡＡについて、ＵＬ（ＵｐＬｉｎｋ：アップリンク）ｇｒａｎｔとＵＬ伝送との間の柔軟な時間マッピング（ｔｉｍｉｎｇ  ｍａｐｐｉｎｇ）をサポートすることが可能である。
【００２５】
ＵＥにＬＡＡのＳＣｅｌｌ（セカンダリセル）における複数のサブフレームでのＰＵＳＣＨ伝送を可能とさせるサブフレームにおける、ＵＥに対する（一つ又は複数の）ＵＬ  ｇｒａｎｔの細部については、少なくとも、以下のオプションを考慮することが可能である：
【００２６】
オプション１）：ＵＥの一つのサブフレームにおける単一のＵＬ  ｇｒａｎｔに対して、Ｎ（Ｎ≧１）のサブフレームのうちＵＥに対するＮ個のＰＵＳＣＨ伝送をスケジューリングすることが可能であり、それぞれのサブフレームが単一のＰＵＳＣＨに用いられる。ここで、Ｎのサブフレームは連続的であってもよく、非連続的であってもよい。
【００２７】
オプション２）：ＵＥのサブフレームにおける単一のＵＬ  ｇｒａｎｔに対して、単一のサブフレームのうち単一のＰＵＳＣＨ伝送をスケジューリングすることが可能であるが、ＵＥは、一つのサブフレームにおいて複数のＵＬ  ｇｒａｎｔを受信することが可能であり、異なるサブフレームにおけるＰＵＳＣＨ伝送に用いる。
【００２８】
オプション３）：ＵＬ  ＬＢＴの結果によれば、ＵＥのサブフレームにおける単一のＵＬ  ｇｒａｎｔに対して、ＵＥに複数のサブフレームの一つにおいて単一のＰＵＳＣＨ伝送を行わせることが可能である。
【００２９】
また、二つの段階のライセンスを行ってもよい。共通半恒久的ライセンスは、高度な情報、例えばＲＢ（Ｒｅｓｏｕｒｃｅ  Ｂｌｏｃｋ：リソースブロック）割当、ＭＣＳ（Ｍｏｄｕｌａｔｉｏｎ  ａｎｄ  Ｃｏｄｉｎｇ  Ｓｃｈｅｍｅ：変調及び符号化方法）を提供できる。ＵＥのサブフレームにおける第２のライセンスに対してＰＵＳＣＨ伝送をスケジューリングしてもよく、それはいくつかのＵＬサブフレームに対して、以上で言及されたオプション１）と２）に準ずる。
【００３０】
ｅＬＡＡのＳＣｅｌｌにおけるＵＬ伝送については、ＵＬ  ｇｒａｎｔをキャリアするサブフレームと相応する（一つ又は複数）ＰＵＳＣＨの（一つ又は複数）のサブフレームとの間の柔軟な時間マッピングをサポートできる。例えば、最小遅延が４ミリ秒であると仮定してもよい。
【００３１】
サブフレームのうちＵＥに対する（一つ又は複数）のＵＬ  ｇｒａｎｔは、ＬＡＡのＳＣｅｌｌにおける複数のサブフレームにおける、ＵＥに対するＰＵＳＣＨ伝送が可能とさせ、これは、クロスキャリアスケジューリングと自己キャリアスケジューリングの場合の両方で成立する。
【００３２】
図１に、自己キャリアスケジューリングを例とするアンライセンスバンドでのＰＵＳＣＨ伝送の状態を示している。図１に示すように、ｅＮＢを囲む破線は、ｅＮＢがセンシングしたカバー範囲を示し、ｅＮＢを囲む実線は、セルカバー範囲を示す。ｅＮＢは、自己キャリアスケジューリングを行う場合にチャネルセンシングを行ってユーザー機器にアンライセンスバンドでアップリンクスケジューリングライセンスを送信する必要があり、セル内の各ユーザー機器ＵＥ１−ＵＥ５は、アップリンクスケジューリングライセンスのスケジューリングで、アンライセンスバンドを介してＰＵＳＣＨ伝送を行うことができる。クロスキャリアスケジューリングの場合に、同様に、ユーザー機器は、アップリンクスケジューリングライセンスのスケジューリングで、アンライセンスバンドを介してＰＵＳＣＨ伝送を行うことができる。
【００３３】
アンライセンスバンドでのＰＵＳＣＨ伝送については、二種の候補の状態が存在する。図２に、ｅＮＢがアンライセンスバンドチャネルでアイドルを検出する場合に、ｅＮＢの同一のＭＣＯＴ（Ｍａｘｉｍｕｍ  Ｃｈａｎｎｅｌ  Ｏｃｃｕｐａｎｃｙ  Ｔｉｍｅ：最大チャネル占有時間）内のＵＬ  ｇｒａｎｔと、ＵＬ伝送バースト（ｔｒａｎｓｍｉｓｓｉｏｎ  ｂｕｒｓｔ）との間の関係の状態を示している。前記最大チャネル占有時間ＭＣＯＴとは、アンライセンスバンドで連続的に伝送することを許可する最大時間である。前記ＭＣＯＴのサイズについては、チャネル使用優先度に応じて確定してもよい。前記伝送バーストは、それぞれの伝送バーストがＵＥ／ｅＮＢからの連続的伝送であり、同一のＣＣ（Ｃｏｍｐｏｎｅｎｔ  Ｃａｒｒｉｅｒ：コンポーネントキャリア）において同一のＵＥ／ｅＮＢからの、直前又は直後の伝送がないと定義できる。
【００３４】
図２に示すように、まず、ｅＮＢは、複雑なチャネル検出プロセス（Ｃａｔ−４：例えば、ランダムバックオフを含み、且つコンテンションウィンドウのサイズが可変であるエネルギー検出プロセス）を実行してアンライセンスバンドにアクセルする。チャネルでアイドルを検出する場合に、ｅＮＢは、番号が０であるＳＦ（ＳｕｂＦｒａｍｅ：サブフレーム）において（一つの又は複数）のＵＬ  ｇｒａｎｔを送信する。ここで、ＳＦ０〜ＳＦ３がＤＬ（ＤｏｗｎＬｉｎｋ：ダウンリンク）伝送バーストに用いられ、ＳＦ４〜ＳＦ９がＵＬ伝送バーストに用いられると仮定する。ＵＬ伝送を行う前に、ＵＥは、チャネル検出プロセスを実行する必要がある。
【００３５】
図２において、ＵＬ  ｇｒａｎｔをキャリアするＳＦと、ＰＵＳＣＨ伝送を含むＵＬ伝送は同一のＭＣＯＴ内にある。従って、ＤＬ伝送バーストと全てのＵＬ伝送バーストとの和はＭＣＯＴ以下であると考えられる。
【００３６】
図３に、ｅＮＢがアンライセンスバンドチャネルでアイドルを検出する場合に、ｅＮＢの同一のＭＣＯＴを超えるＵＬ  ｇｒａｎｔと、ＵＬ伝送バーストとの間の関係の状態を示している。
【００３７】
図３に示すように、まず、ｅＮＢは、複雑なチャネル検出プロセス（例えば、ランダムバックオフを含み且つコンテンションウィンドウのサイズが可変であるエネルギー検出プロセス）を実行してアンライセンスバンドにアクセスする。チャネル検出が成功した場合に、ｅＮＢは、番号が０であるＳＦにおいて（一つ又は複数）のＵＬ  ｇｒａｎｔを送信する。ここで、ＳＦ０〜ＳＦ３がＤＬ伝送バーストに用いられ、ＳＦ４〜ＳＦ１５がＵＬ伝送バーストに用いられると仮定する。ＵＬ伝送を行う前に、ＵＥはチャネル検出プロセスを実行する必要がある。
【００３８】
図３において、一番目のＭＣＯＴ（ＭＣＯＴ＃１）は、ＤＬ伝送バーストと、一部のＵＬ伝送バーストとを含み、二番目のＭＣＯＴ（ＭＣＯＴ＃２）は、ＵＬ伝送バーストのみを含む。図３から分かるように、ＵＬ  ｇｒａｎｔとＰＵＳＣＨ伝送をキャリアする（一つ又は複数）ＳＦがｅＮＢの同一のＭＣＯＴを超えている。即ち、ＤＬ伝送バーストと、全てのＵＬ伝送バーストとの和はＭＣＯＴ＃１よりも大きくなる。
【００３９】
ＵＬ  ｇｒａｎｔをキャリアするＳＦと、相応する（一つ又は複数）ＰＵＳＣＨ伝送をキャリアする（一つ又は複数）ＳＦとの間で柔軟に時間マッピングを行うことができる。特に、一つのＵＬ  ｇｒａｎｔは、複数のＰＵＳＣＨ伝送をスケジューリングすることが可能であり、その中、それぞれのＰＵＳＣＨ伝送は一つのＳＦによりキャリアされ、且つ異なるＰＵＳＣＨ伝送は異なるＳＦによりキャリアされる。さらに、このＵＬ  ｇｒａｎｔをキャリアするＳＦと、複数のＰＵＳＣＨ伝送をキャリアする複数のＳＦとの間の時間マッピング関係は、柔軟に配置されてもよく、そして、配置された後の時間マッピング関係は時間マッピング情報に含まれてもよい。一方、一つのＵＬ  ｇｒａｎｔは一つのＰＵＳＣＨ伝送のみをスケジューリングしてもよい。同様に、このＵＬ  ｇｒａｎｔをキャリアするＳＦと、このＰＵＳＣＨ伝送をキャリアするＳＦとの間の時間マッピング関係は、柔軟に配置されてもよく、且つ配置された後の時間マッピング関係は時間マッピング情報に含まれてもよい。
【００４０】
また、ＵＥのアンライセンスチャネルでの全てのＰＵＳＣＨ伝送がｅＮＢのＭＣＯＴ内に入ると（図２に示すように）、ＵＥは、簡単なチャネル検出プロセス（ｃａｔ−２：例えば、ランダムバックオフを含まないエネルギー検出プロセス）を実行する。チャネルがアイドルであると検出されると、ＵＥはＰＵＳＣＨ伝送を行うことができる。但し、ＵＥのアンライセンスチャネルでのＰＵＳＣＨ伝送がｅＮＢのＭＣＯＴ以外に入ると（図３に示すように）、ＵＥは（例えばＳＦ１０の前に）複雑なチャネル検出プロセス（ｃａｔ−４：例えばランダムバックオフを含みコンテンションウィンドウのサイズが可変であるエネルギー検出プロセス）を実行する。
【００４１】
さらに、ＵＥは、少なくとも一つのアンライセンスキャリアで複雑なチャネル検出プロセスを実行する必要がある場合に、ＵＥはＣＷＳ（Ｃｏｎｔｅｎｔｉｏｎ  Ｗｉｎｄｏｗ  Ｓｉｚｅ：コンテンションウィンドウサイズ）調整を行う必要がある可能性があり、調整されたＣＷＳに基づいて複雑なチャネル検出プロセスで使用するカウンターを生成して、ＵＥのアンライセンスチャネルでのＰＵＳＣＨ伝送の問題を解決し、且つアンライセンスチャネルに対する有効な利用を実現する。
【００４２】
以下、さらに、自己キャリアスケジューリングの例をとって記述するが、本開示は、自己キャリアスケジューリングの場合のみに限定されない。
【００４３】
まず、本開示の実施例によるＵＬ  ｇｒａｎｔの時間マッピング設計を記述する。図４に、本開示の実施例による無線通信システムにおける電子機器４００の構造を示している。
【００４４】
図４に示すように、電子機器４００は、処理回路４１０を含むことができる。なお、電子機器４００は、一つの処理回路４１０を含んでもよく、複数の処理回路４１０を含んでもよい。また、電子機器４００は、トランシーバとしての通信ユニット４２０などを含んでもよい。
【００４５】
さらに処理回路４１０は各種の独立した機能ユニットを含んで各種の異なる機能及び／又は操作を実行することができる。なお、これらの機能ユニットは、物理実体又は論理実体であってもよく、異なる呼称のユニットは同一の物理実体により実現され得る。
【００４６】
例えば、図４に示すように、処理回路４１０は配置ユニット４１１を含むことができる。また、処理回路４１０は、添加ユニット４１２を含むこともできる。
【００４７】
配置ユニット４１１は、アップリンクスケジューリングライセンスシグナリングをキャリアするダウンリンクサブフレームと、前記アップリンクスケジューリングライセンスシグナリングによってスケジューリングされたＵＥがアンライセンスチャネルで行うＰＵＳＣＨ伝送を含むアップリンク伝送をキャリアするアップリンクサブフレームとの間の時間マッピング情報を配置することができる。本開示において、アップリンクスケジューリングライセンスシグナリングは、上記で言及されたＵＬ  ｇｒａｎｔシグナリングであってもよい。
【００４８】
本開示の実施例による電子機器４００を使用すると、アップリンクスケジューリングライセンスシグナリングをキャリアするダウンリンクサブフレームと、ＰＵＳＣＨ伝送を含むアップリンク伝送をキャリアするアップリンクサブフレームとの間の時間マッピング関係を確定することができ、これにより、アンライセンスチャネルに対する有効な利用を実現する。
【００４９】
本開示の最適な実施例によれば、添加ユニット４１２は、時間マッピング情報を物理層シグナリング又はＭＡＣ（Ｍｅｄｉａ  Ａｃｃｅｓｓ  Ｃｏｎｔｒｏｌ：メディアアクセス制御）層シグナリングに添加して、ＵＥに通知することができる。
【００５０】
本開示の最適な実施例によれば、時間マッピング情報を配置する際に、配置ユニット４１１は、一つのアップリンクスケジューリングライセンスシグナリングをキャリアする一つのダウンリンクサブフレームを、このアップリンクスケジューリングライセンスシグナリングによってスケジューリングされるＰＵＳＣＨ伝送を含むアップリンク伝送をキャリアする複数のアップリンクサブフレームにマッピングすることができる。その後、添加ユニット４１２は、時間マッピング情報をアップリンクスケジューリングライセンスシグナリングに添加することができる。
【００５１】
本開示による最適な実施例において，Ｌ１シグナリングは、一つのＵＬ  ｇｒａｎｔ及びその相応するＰＵＳＣＨ伝送をキャリアするＳＦ間の明らかな時間マッピング情報を指示している。一つのＳＦにおいて、一つの単一のＵＬ  ｇｒａｎｔは、複数のＳＦに対して有効なスケジューリング情報を含んでもよい。それぞれのキャリアを基としてこのような明示的シグナリングを生成してもよい。
【００５２】
図５に、本開示の最適な実施例によるＵＬ  ｇｒａｎｔ設計の模式図を示している。図５に示すように、まず、ｅＮＢは複雑なチャネル検出プロセス（例えばランダムバックオフを含み且つコンテンションウィンドウのサイズが可変であるエネルギー検出プロセス）を実行してアンライセンスバンドにアクセスする。チャネル検出が成功した場合に、ｅＮＢはアンライセンスバンドで一つのＭＣＯＴを有する。ｅＮＢは、番号が０であるＳＦにおいて一つのＵＬ  ｇｒａｎｔを送信する。ここで、ＳＦ０〜ＳＦ３がＤＬ伝送バーストに用いられ、ＳＦ４〜ＳＦ１５がＵＬ伝送バーストに用いられると仮定する。ＵＬ伝送を行う前に、ＵＥは、チャネル検出プロセスを実行する必要がある。
【００５３】
図３と類似して、図５において、一番目のＭＣＯＴ（ＭＣＯＴ＃１）は、ＤＬ伝送バーストと、一部のＵＬ伝送バーストを含み、二番目のＭＣＯＴ（ＭＣＯＴ＃２）は、ＵＬ伝送バーストのみを含む。
【００５４】
図５において、ＵＥは、ＳＦ０において一つのＵＬ  ｇｒａｎｔを受信するが、このＵＬ  ｇｒａｎｔは情報を含み、前記情報はこのＵＬ  ｇｒａｎｔがＳＦ４、ＳＦ５、ＳＦ６、ＳＦ１０に有効であることを指示する。ＬＢＴを経た後に、ＰＵＳＣＨを伝送でき、且つ、ＵＥがＰＵＳＣＨ伝送を行う必要があると、ＵＥは、ＳＦ４、ＳＦ５、ＳＦ６、ＳＦ１０においてＰＵＳＣＨ伝送を行う。
【００５５】
時間マッピング情報をアップリンクスケジューリングライセンスシグナリングに添加するために、添加ユニット４１２は、例えば、ＵＬ  ｇｒａｎｔにおける１０個のスタッフィングビットを再利用してもよく、それぞれのビットは、間もなくくるＳＦにおいて特定のＵＥをスケジューリングするかどうかを指示する。
【００５６】
例えば、Ｂｉｔ０、Ｂｉｔ１、Ｂｉｔ２、…、Ｂｉｔ９において、「０」はＵＥがスケジューリングされることを指示し、「１」はＵＥがスケジューリングされないことを指示する。ＵＥがサブフレームＮにおいて一つのＵＬ  ｇｒａｎｔを受信すると、Ｂｉｔ０は、サブフレームＮ＋４においてこのＵＥがスケジューリングされるかどうかを指示し、Ｂｉｔ１は、サブフレームＮ＋５においてこのＵＥがスケジューリングされるかどうかを指示し、これによって類推して、Ｂｉｔ９は、サブフレームＮ＋１３においてこのＵＥがスケジューリングされるかどうかを指示する。
【００５７】
このようにすれば、ＵＬ  ｇｒａｎｔをキャリアする一つのダウンリンクサブフレーム例えばＳＦ０と、ＰＵＳＣＨ伝送をキャリアする複数のアップリンクサブフレーム例えばＳＦ４、ＳＦ５、ＳＦ６、ＳＦ１０との間の時間マッピング関係を確定でき、そして、ＰＵＳＣＨ伝送をキャリアする複数のアップリンクサブフレームの位置は柔軟に調整でき、これにより、アンライセンスチャネルに対する有効な利用を実現する。
【００５８】
本開示の他の最適な実施例によれば、一つのダウンリンクサブフレームは、複数のアップリンクスケジューリングライセンスシグナリングをキャリアすることができる。この場合には、配置ユニット４１１は、複数のアップリンクスケジューリングライセンスシグナリングのそれぞれをキャリアするダウンリンクサブフレームと、複数のアップリンクスケジューリングライセンスシグナリングのそれぞれによってスケジューリングされるＰＵＳＣＨ伝送を含むアップリンク伝送をキャリアする一つのアップリンクサブフレームとの間の各時間マッピング情報を配置できる。その後、添加ユニット４１２は、各時間マッピング情報を複数のアップリンクスケジューリングライセンスシグナリングのそれぞれに添加して、ＵＥに通知してもよい。
【００５９】
本開示による他の最適な実施例において、Ｌ１シグナリングは複数のＵＬ  ｇｒａｎｔ及びその相応するＰＵＳＣＨ伝送を含むアップリンク伝送をキャリアするＳＦ間の明らかな時間マッピング情報を指示する。一つのＳＦにおいて、ＵＥは複数のＵＬ  ｇｒａｎｔを受信し、且つそれぞれのＵＬ  ｇｒａｎｔは一つのＳＦにより使用されてもよい（ＰＵＳＣＨ伝送を行う）。それぞれのキャリアを基としてこのような明示的シグナリングを生成してもよい。
【００６０】
図６に、本開示の他の最適な実施例によるＵＬ  ｇｒａｎｔ設計の模式図を図示している。図６に示すように、まず、ｅＮＢは、複雑なチャネル検出プロセス（例えばランダムバックオフを含み且つコンテンションウィンドウのサイズが可変であるエネルギー検出プロセス）を実行してアンライセンスバンドにアクセスする。チャネル検出が成功した場合に、ｅＮＢは、番号が０であるＳＦにおいて４個のＵＬ  ｇｒａｎｔを送信する。ここで、ＳＦ０〜ＳＦ３がＤＬ伝送バーストに用いられ、ＳＦ４〜ＳＦ１５がＵＬ伝送バーストに用いられると仮定する。ＵＬ伝送を行う前に、ＵＥは、チャネル検出プロセスを実行する必要がある。
【００６１】
図３、図５と類似して、図６において、一番目のＭＣＯＴ（ＭＣＯＴ＃１）は、ＤＬ伝送バーストと一部のＵＬ伝送バーストとを含み、二番目のＭＣＯＴ（ＭＣＯＴ＃２）は、ＵＬ伝送バーストのみを含む。
【００６２】
図６において、ＵＥはＳＦ０において複数（４個）のＵＬ  ｇｒａｎｔを受信する。それぞれのＵＬ  ｇｒａｎｔにおいて、明らかなマッピング情報を添加する。例えば、ＵＬ  ｇｒａｎｔ  １がＳＦ４に対して有効であり、ＵＬ  ｇｒａｎｔ  ２がＳＦ５に対して有効であり、ＵＬ  ｇｒａｎｔ  ３がＳＦ６に対して有効であり、ＵＬ  ｇｒａｎｔ  ４がＳＦ１０に対して有効である等である。
【００６３】
ＬＢＴプロセスを経た後にＰＵＳＣＨを伝送でき、ＵＥがＰＵＳＣＨ伝送を行う必要があると、ＵＥは、ＳＦ４、ＳＦ５、ＳＦ６、ＳＦ１０においてＰＵＳＣＨ伝送を行う。
【００６４】
複数のＵＬ  ｇｒａｎｔのフォーマット設計については、例えば以下通りである。通常のＵＬ  ｇｒａｎｔについて、Ｎ回復号化して、ＵＬ  ｇｒａｎｔ  １、ＵＬ  ｇｒａｎｔ  ２、…、ＵＬ  ｇｒａｎｔ  Ｎを得ることができる。カスケード接続されたＵＬ  ｇｒａｎｔについて、一回復号化するだけでＵＬ  ｇｒａｎｔ  １＋ＵＬ  ｇｒａｎｔ  ２＋、…、＋ＵＬ  ｇｒａｎｔ  Ｎを得ることができる。
【００６５】
このようにすれば、複数のＵＬ  ｇｒａｎｔ例えばＵＬ  ｇｒａｎｔ  １、ＵＬ  ｇｒａｎｔ  ２、ＵＬ  ｇｒａｎｔ  ３、ＵＬ  ｇｒａｎｔ  ４をキャリアする一つのダウンリンクサブフレーム例えばＳＦ０と、ＰＵＳＣＨ伝送をキャリアする複数のアップリンクサブフレーム例えばＳＦ４、ＳＦ５、ＳＦ６、ＳＦ１０との間の時間マッピング関係を確定できることで、アンライセンスチャネルに対する有効な利用を実現する。
【００６６】
図７に、本開示の他の実施例による無線通信システムにおける電子機器７００の構造を図示している。
【００６７】
図７に示すように、電子機器７００は処理回路７１０を含むことができる。なお、電子機器７００は一つの処理回路７１０を含んでもよく、複数の処理回路７１０を含んでもよい。また、電子機器７００は、トランシーバのような通信ユニット７２０などを含んでもよい。
【００６８】
さらに、処理回路７１０は、各種の独立した機能ユニットを含んで各種の異なる機能及び／又は操作を実行することができる。なお、これらの機能ユニットは、物理実体又は論理実体であってもよく、異なる呼称のユニットは同一の物理実体により実現され得る。
【００６９】
例えば、図７に示すように、処理回路７１０は、設置ユニット７１１と、配置ユニット７１２と、添加ユニット７１３とを含むことができる。
【００７０】
設置ユニット７１１は、一つのアップリンクスケジューリングライセンスシグナリングを、次のアップリンクスケジューリングライセンスシグナリングをキャリアする次のダウンリンクサブフレームの前の全てのアップリンクサブフレームでキャリアされるＰＵＳＣＨ伝送をスケジューリングできるように設置することができる。
【００７１】
配置ユニット７１２は、一つのアップリンクスケジューリングライセンスシグナリングをキャリアするダウンリンクサブフレームと、実際に一つのアップリンクスケジューリングライセンスシグナリングによってスケジューリングされるＰＵＳＣＨ伝送を含むアップリンク伝送をキャリアするアップリンクサブフレームとの間の実時間マッピング情報を配置することができる。
【００７２】
添加ユニット７１３は、実時間マッピング情報を物理層シグナリング又はＭＡＣ層シグナリングに添加して、ＵＥに通知することができる。
【００７３】
図７に示す技術案のように、一つのＳＦにおいて、ＵＥは、一つの単一のＵＬ  ｇｒａｎｔを受信できるが、このＵＬ  ｇｒａｎｔは、ＵＥが次の新しいＵＬ  ｇｒａｎｔを受信するまでに、間もなくくるアップリンクＳＦの全てに対して有効である。それぞれのキャリアを基としてこのような暗黙的シグナリングを生成できる。そして、ＵＥは、（Ｌ１又はＭＡＣシグナリングを介して）、間もなくくる複数のアップリンクＳＦにおいてスケジューリングを行うかどうかを指示する明示的マッピング情報を受信できる。
【００７４】
第１の段階で、ＵＥは、一つのＵＬ  ｇｒａｎｔが、他の一つのＵＬ  ｇｒａｎｔを受信するまで、全てのまもなくくるアップリンクＳＦに対して有効であると仮定する。図８に、本開示の実施例による暗黙的シグナリング設計の模式図を示している。
【００７５】
図８に示すように、まず、ｅＮＢは複雑なチャネル検出プロセス（例えばランダムバックオフを含み且つコンテンションウィンドウのサイズが可変であるエネルギー検出プロセス）を実行してアンライセンスバンドにアクセスする。チャネル検出が成功した場合に、ＵＥは、番号が０であるＳＦにおいて一つのＵＬ  ｇｒａｎｔ  １を受信する。ここで、ＳＦ０〜ＳＦ３がＤＬ伝送バーストに用いられ、ＳＦ４〜ＳＦ１１がＵＬ伝送バーストに用いられると仮定する。現在の実施例において、ＵＬ  ｇｒａｎｔ  １は、ＳＦ４〜ＳＦ１１の全てに対して有効である。
【００７６】
次に、ＳＦ１２において、ＵＥは、他のＵＬ  ｇｒａｎｔ  ２を受信し、この際、ＵＬ  ｇｒａｎｔ１の効力が尽きる。ここで、ＳＦ１２〜ＳＦ１５がＤＬ伝送バーストに用いられ、ＳＦ１６〜ＳＦ１８がＵＬ伝送バーストに用いられると仮定する。現在の実施例において、ＵＬ  ｇｒａｎｔ  ２は、ＵＥが次のＵＬ  ｇｒａｎｔを受信するまでに、ＳＦ１６〜ＳＦ１８の全てに対して有効である。
【００７７】
第２の段階で、ＵＥはスケジューリング情報を受信でき、当該スケジューリング情報は、間もなくくるＳＦにおいてスケジューリングを行うかどうかを指示する。
【００７８】
スケジューリング情報を取得するために、例えばＵＬ  ｇｒａｎｔにおけるスタッフィングビット（他の物理層シグナリング又はＭＡＣ層シグナリングにおけるビットであってもよい）を再利用してもよく、各ビットは、間もなくくるＳＦにおいて特定のＵＥをスケジューリングするかどうかを指示する。表１には、ビットと、ＳＦがスケジューリングされるかどうかの間の関係を示している。
【００７９】
【表１】
2019511859.tif 000003
【００８０】
表１において、Ｂｉｔ０、Ｂｉｔ１、Ｂｉｔ２、…、Ｂｉｔ９において、「０」はＵＥがスケジューリングされないことを示し、「１」はＵＥがスケジューリングされることを示す。ＵＥがサブフレームＮにおいて一つのＵＬ  ｇｒａｎｔを受信すると、Ｂｉｔ０は、サブフレームＮ＋４においてこのＵＥがスケジューリングされるかどうかを指示し、Ｂｉｔ１は、サブフレームＮ＋５においてこのＵＥがスケジューリングされるかどうかを指示し、これによって類推して、且つＢｉｔ９は、サブフレームＮ＋１３においてこのＵＥがスケジューリングされるかどうかを指示する。
【００８１】
表１から分かるように、ＵＥは、ＳＦ４、ＳＦ５、ＳＦ６、ＳＦ１０においてスケジューリングされるようになる。
【００８２】
このような形態により、同様に、ＵＬ  ｇｒａｎｔをキャリアするダウンリンクサブフレームと、ＰＵＳＣＨ伝送をキャリアする複数のアップリンクサブフレームとの間の時間マッピング関係を確定することができ、これによりアンライセンスチャネルに対する有効な利用を実現する。
【００８３】
以上で、本開示の実施例によるＵＬ  ｇｒａｎｔの時間マッピング設計を記述した。次に、本開示の実施例によるチャネル検出タイプ指示シグナリングの設計を記述する。図９に、本開示の実施例による無線通信システムにおける電子機器９００の構造を図示している。
【００８４】
図９に示すように、電子機器９００は処理回路９１０を含むことができる。なお、電子機器９００は一つの処理回路９１０を含んでもよく、複数の処理回路を含んでもよい。また、電子機器９００は、トランシーバのような通信ユニット９２０などを含んでもよい。
【００８５】
さらに、処理回路９１０は、各種の独立した機能ユニットを含んで各種の異なる機能及び／又は操作を実行することができる。なお、これらの機能ユニットは、物理実体又は論理実体であってもよく、異なる呼称のユニットは同一の物理実体により実現され得る。
【００８６】
例えば、図９に示すように、処理回路９１０は、生成ユニット９１１と添加ユニット９１２とを含むことができる。
【００８７】
生成ユニット９１１は、ＵＥがアンライセンスチャネルでＰＵＳＣＨ伝送を含むアップリンク伝送を行う前にチャネル検出プロセスを実行するチャネル検出タイプに関する配置情報を生成することができる。
【００８８】
添加ユニット９１２は、生成ユニット９１１の生成した配置情報を物理層シグナリングに添加して、ＵＥに通知することができる。
【００８９】
本開示の実施例による電子機器９００を使用すると、ＵＥがアンライセンスチャネルでＰＵＳＣＨ伝送を含むアップリンク伝送を行う前にチャネル検出プロセスを実行するチャネル検出タイプを確定することができ、これにより、アンライセンスチャネルに対する有効な利用を実現する。
【００９０】
図１０に、図９の電子機器９００に含まれる生成ユニット９１１の構造の例を図示している。図１０に示すように、生成ユニット９１１は、設置ユニット９１１１と、配置ユニット９１１２と９１１３とを含むことができる。
【００９１】
本開示の最適な実施例によれば、設置ユニット９１１１は、アンライセンスチャネルでの複数のアンライセンスキャリアを互いに独立に設置することができる。
【００９２】
複数のアンライセンスキャリアのそれぞれについて、ＰＵＳＣＨ伝送をキャリアするアップリンクサブフレームがＭＣＯＴ内に入る場合に、配置ユニット９１１２は、チャネル検出タイプを第１のチャネル検出プロセス（Ｃａｔ−２）に配置することができる。
【００９３】
一方、複数のアンライセンスキャリアのそれぞれについて、ＰＵＳＣＨ伝送をキャリアするアップリンクサブフレームがＭＣＯＴ以外に入る場合に、配置ユニット９１１３はチャネル検出タイプを第２のチャネル検出プロセス（Ｃａｔ−４）に配置することができる。
【００９４】
本開示の実施例によれば、チャネル検出は、特徴検出とエネルギー検出とを含むことができる。チャネル検出が特徴検出である場合には、プリアンブル検出（ｐｒｅａｍｂｌｅ  ｄｅｔｅｃｔｉｏｎ）とＰＬＭＮ（Ｐｕｂｌｉｃ  Ｌａｎｄ  Ｍｏｂｉｌｅ  Ｎｅｔｗｏｒｋ：公衆陸上移動網）＋ＰＳＳ（ｐｒｉｍａｒｙ  ｓｙｎｃｈｒｏｎｉｚａｔｉｏｎ  ｓｉｇｎａｌ：プライマリ同期信号）／ＳＳＳ（ｓｅｃｏｎｄａｒｙ  ｓｙｎｃｈｒｏｎｉｚａｔｉｏｎ  ｓｉｇｎａｌ：セカンダリ同期信号）検出とを含む。チャネル検出がエネルギー検出である場合に、チャネル検出プロセスは、（ａ）ランダムバックオフを含まないエネルギー検出と、（ｂ）ランダムバックオフを含むがＣＷＳが固定されたエネルギー検出と、（ｃ）ランダムバックオフを含み且つコンテンションウィンドウのサイズが可変であるエネルギー検出とを含んでもよい。タイプ（ａ）では、エネルギー検出は、アイドルの後直接にデータ伝送を行うことを指示する。タイプ（ｂ）と（ｃ）では、チャネル検出プロセスは二つの段階に分けられ、その中、第１の段階は初期検出時間帯とランダムバックオフ（ｒａｎｄｏｍ  ｂａｃｋｏｆｆ）時間帯とを含み、第２の段階は自己延期（ｓｅｌｆ−ｄｅｆｅｒｒａｌ）時間帯（オプションとして）を含んでいる。初期検出時間帯が終了した後にランダムバックオフ時間帯に入り、その中、ランダムバックオフ時間帯において、依然としてエネルギー検出を行い、当該時間帯においてランダムバックオフカウンター（カウンターとも略称する）を設定することでバックオフを行う。エネルギー検出がチャネルが占有されたことを指示する場合に、ランダムバックオフカウンターのカウントが中断され、ランダムバックオフカウンターはＣＷＳに基づいて設定され、チャネル検出はｄｅｆｅｒ段階に進んで、さらにチャネルがアイドルであるかどうかをセンシングし、チャネルがアイドルであると、ランダムバックオフカウンターは、カウントが終了するまで、カウントダウンを続ける。チャネルがアイドルであると検出された場合に、間もなくデータ伝送を実行するタイムスロットが到来していないと、自己延期時間帯に進んでデータ伝送を実行するタイムスロットの到来を待つ。自己延期時間帯において依然としてエネルギー検出を行って、チャネルが占有されたことが検出された場合に、当該チャネルを使用してデータ伝送を実行することができない。言い換えれば、タイプ（ｂ）と（ｃ）では、チャネル検出プロセスの二つの段階、即ち、初期検出時間帯、ランダムバックオフ時間帯及び自己延期時間帯において、ともに、エネルギー検出を実行する。タイプ（ｂ）と（ｃ）との主な相違については、タイプ（ｂ）において、ＣＷＳが固定されるが、タイプ（ｃ）において、ＣＷＳが可変であることにある。エネルギー検出は検出期を有し、タイプ（ｂ）と（ｃ）を例として、当該検出期は初期検出時間帯、ランダムバックオフ時間帯及び自己延期段階を含んでいる。検出期が経過した後、エネルギー検出又はチャネル検出完了と称する。
【００９５】
本開示の実施例において、タイプ（ａ）のチャネル検出プロセスはランダムバックオフを含まず、一定時間のエネルギー検出プロセスのみを含んでいる。例えば、エネルギー検出プロセスの期間において、アンライセンスキャリアがアイドルであるとセンシングされると、当該アンライセンスキャリアでデータを伝送できる。なお、センシングプロセスの維持時間は、必要に応じて選択されてもよく、例えば２５μｓよりも大きくなってもよい。この実施例において、いずれか従来又は既存の方法に従ってアンライセンスキャリアがアイドルであるかどうかを判断してもよい。例えば、エネルギー検出の形態は、エネルギー検出プロセス期間においてアンライセンスキャリアで検出されたエネルギーがエネルギー検出の閾値よりも小さいと、当該アンライセンスキャリアがアイドル状態にあることを説明する。
【００９６】
本開示の実施例によれば、ｅＮＢは、実際のニーズと伝送する内容とに応じて上記幾つかのチャネル検出プロセスから異なるチャネル検出プロセスを選択することができる。好ましくは、ｅＮＢは  第１のチャネル検出プロセスが第２のチャネル検出プロセスよりも簡単となるように、第１のチャネル検出プロセスと第２のチャネル検出プロセスを選択してもよい。
【００９７】
本開示の実施例によれば、第１のチャネル検出プロセスは、ランダムバックオフを含まないエネルギー検出であってもよく、言い換えれば、第１のチャネル検出プロセスは、一定時間のエネルギー検出プロセスであり、エネルギー検出プロセス期間において、アンライセンスキャリアがアイドルであるとセンシングされると、当該アンライセンスキャリアでデータを伝送することができる。
【００９８】
本開示の実施例によれば、第２のチャネル検出プロセスは、ランダムバックオフを含み且つＣＷＳが可変であるエネルギー検出であってもよく、言い換えれば、第２のチャネル検出プロセスは、初期検出期間、ランダムバックオフ区間、自己延期区間を含んでもよく、且つＣＷＳが可変である。
【００９９】
本開示の実施例によれば、第１のチャネル検出プロセスは、一回のエネルギー検出プロセスのみを含んでもよい。第２のチャネル検出プロセスは、複数回のエネルギー検出プロセスを含んでもよい。上記で言及されたように、第２のチャネル検出プロセスは二つの段階に分けてもよく、この二つの段階において、いずれも、エネルギー検出プロセスを実行し、言い換えれば、第２のチャネル検出プロセスは複数回のエネルギー検出プロセスを含む。第１のチャネル検出プロセスは、一定時間のエネルギー検出プロセスであり、エネルギー検出プロセス期間において、アンライセンスキャリアがアイドルであるとセンシングされると、当該アンライセンスキャリアでデータを伝送することができる。言い換えれば、第１のチャネル検出プロセスには、一回のエネルギー検出プロセスしか含まない。
【０１００】
本開示の実施例によれば、第１のチャネル検出プロセスは、第２のチャネル検出プロセスよりも、簡単であり、消費電力も低い。電子機器がアンライセンスキャリアで第１のチャネル検出プロセスのみを実行すると、大幅に電子機器の消費電力を低減させることができる。
【０１０１】
本開示の実施例によれば、ｅＮＢは、アンライセンスバンドの上の複数のキャリアでＵＬ伝送を行う前にＵＥがチャネル検出プロセス（例えばＬＢＴプロセス）を実行する際のチャネル検出タイプを確定し指示することができる。例えば、ｅＮＢは、ＤＣＩ（Ｄｏｗｎｌｉｎｋ  Ｃｏｎｔｒｏｌ  Ｉｎｆｏｒｍａｔｉｏｎ：ダウンリンク制御情報）ｆｏｒｍａｔ  １Ｃを再利用することでチャネル検出タイプを指示でき、後で詳細に記述する。
【０１０２】
ｅＮＢがＵＥの複数のキャリアでのチャネル検出タイプを確定する方法は、以下の通りである。まず、ｅＮＢはマルチキャリアセンシングプロセスのタイプを選択する必要がある。例えば、タイプＡマルチキャリア操作とは、各々の配置されたキャリアでセンシングプロセスを独立して行う（即ち、アンライセンスチャネルでの複数のアンライセンスキャリアは互いに独立に設置される）ことを指し、そして、一般的に上記で言及された第２のチャネル検出プロセスを使用する。さらに、タイプＢマルチキャリア操作とは、アンライセンスチャネルでの複数のアンライセンスキャリアのうち一つがプライマリチャネルに設置され、且つ他のアンライセンスキャリアがセカンダリチャネルに設置されることを指す。プライマリチャネルは、一般的に上記で言及された第２のチャネル検出プロセスを使用し、セカンダリチャネルは、一般的に上記で言及された第１のチャネル検出プロセスを使用する。
【０１０３】
ｅＮＢがタイプＡマルチキャリア操作を選択した場合に、ＵＥのＰＵＳＣＨ伝送がｅＮＢのＭＣＯＴ以外に入ると、ＵＥは、チャネル検出プロセスの有効性を確保するために、第２のチャネル検出プロセスを使用すべきである。一方、ＵＥのＰＵＳＣＨ伝送がｅＮＢのＭＣＯＴ内に入ると、ＵＥは、電子機器の消費電力を低減させるために、第１のチャネル検出プロセスを使用してもよい。
【０１０４】
以上のルールに基づいて、ｅＮＢは、ＵＥが各々の配置されたキャリアで実行すべきチャネル検出プロセスのタイプを配置できる。
【０１０５】
図１１に、自己キャリアスケジューリングの場合にタイプＡマルチキャリア操作を使用する際のチャネル検出タイプ配置のフローチャートを図示している。
【０１０６】
図１１に示すように、ステップＳ１１０において、ｅＮＢは、ＵＬタイプＡマルチキャリアセンシングを選択する。
【０１０７】
次に、ステップＳ１２０において、ｅＮＢは、ＵＥのＰＵＳＣＨ伝送がｅＮＢのＭＣＯＴ内に入るかどうかを確定する。
【０１０８】
ｅＮＢは、ＵＥのＰＵＳＣＨ伝送がｅＮＢのＭＣＯＴ内に入ると確定すると、ステップＳ１４０において、ＵＥは、第１のチャネル検出プロセスを実行する。
【０１０９】
一方、ｅＮＢは、ＵＥのＰＵＳＣＨ伝送がｅＮＢのＭＣＯＴ以外に入ると確定すると、ステップＳ１３０において、ＵＥは、第２のチャネル検出プロセスを実行する。
【０１１０】
最後、ステップＳ１５０において、ｅＮＢは、チャネル検出タイプ配置の結果をＵＥに通知して、ＵＥに対して配置を行う。
【０１１１】
図１２に、タイプＡマルチキャリア操作を使用する際のチャネル検出タイプ配置の結果の例を図示している。
【０１１２】
図１２に示すように、キャリアＣ１はＰｃｅｌｌ（プライマリサービングセル）であり、キャリアＣ２〜Ｃ５はＳｃｅｌｌ（セカンダリサービングセル）である。キャリアＣ２で、まず、ｅＮＢはＬＢＴ  ２（第２のチャネル検出プロセス）を実行する。チャネル検出が成功した場合に、ＵＬ伝送を行う前に、ＵＥはチャネル検出プロセスを実行する必要がある。
【０１１３】
図１２に示すように、キャリアＣ２において、ｅＮＢのＭＣＯＴ内で、ＵＥはＬＢＴ  １（第１のチャネル検出プロセス）を実行できる。ｅＮＢのＭＣＯＴ以外で、ＵＥはＬＢＴ  ２（第２のチャネル検出プロセス）を実行する。他のキャリアＣ３、Ｃ４、Ｃ５において、ＵＥはＬＢＴ  ２（第２のチャネル検出プロセス）を独立して実行する。
【０１１４】
本開示の他の一実施例によれば、設置ユニット９１１１は、アンライセンスチャネルでの複数のアンライセンスキャリアのうち一つをプライマリチャネルに設置し、且つ他のアンライセンスキャリアをセカンダリチャネルに設置することができる。以上の記述から分かるように、ｅＮＢは、本実施例において、タイプＢマルチキャリア操作を選択した。この場合に、配置ユニット９１１２は、セカンダリチャネルに対するチャネル検出タイプを第１のチャネル検出プロセスに配置できる。
【０１１５】
プライマリチャネルについて、ＰＵＳＣＨ伝送をキャリアするアップリンクサブフレームがＭＣＯＴ内に入る場合に、配置ユニット９１１２は、チャネル検出タイプを第１のチャネル検出プロセスに配置できる。
【０１１６】
一方、プライマリチャネルについて、ＰＵＳＣＨ伝送をキャリアするアップリンクサブフレームがＭＣＯＴ以外に入る場合に、配置ユニット９１１３は、チャネル検出タイプを第２のチャネル検出プロセスに配置できる。
【０１１７】
本開示の実施例によれば、ｅＮＢがタイプＢマルチキャリア操作を選択した場合に、ＵＥのＰＵＳＣＨ伝送がプライマリチャネルで発生したら、ＵＥのＰＵＳＣＨ伝送がｅＮＢのＭＣＯＴ内に入ると、ＵＥは、電子機器の消費電力を低減させるために、第１のチャネル検出プロセスを使用すべきであり、ＵＥのＰＵＳＣＨ伝送がｅＮＢのＭＣＯＴ以外に入ると、ＵＥは、チャネル検出プロセスの有効性を確保するために、第２のチャネル検出プロセスを使用すべきである。一方、ＵＥのＰＵＳＣＨ伝送がセカンダリチャネルで発生したら、ＵＥは第１のチャネル検出プロセスのみを使用する。
【０１１８】
上記ルールに基づいて、ｅＮＢは、ＵＥが各々の配置されたキャリアで実行すべきチャネル検出プロセスのタイプを配置することができる。
【０１１９】
図１３に、タイプＢマルチキャリア操作を使用する場合におけるチャネル検出タイプ配置のフローチャートを図示している。
【０１２０】
図１３に示すように、ステップＳ２１０において、ｅＮＢは、ＵＬタイプＢマルチキャリアセンシングを選択する。
【０１２１】
次に、ステップＳ２２０において、ｅＮＢは、ＵＥのＰＵＳＣＨ伝送がプライマリチャネルで発生したかどうかを確定する。
【０１２２】
ｅＮＢがＵＥのＰＵＳＣＨ伝送がプライマリチャネルで発生していないと確定すると、ステップＳ２３０において、ＵＥは第１のチャネル検出プロセスを実行する。
【０１２３】
一方、ｅＮＢがＵＥのＰＵＳＣＨ伝送がプライマリチャネルで発生したと確定すると、ステップＳ２４０において、ｅＮＢは、ＵＥのＰＵＳＣＨ伝送がｅＮＢのＭＣＯＴに入るかどうかを確定する。
【０１２４】
ｅＮＢがＵＥのＰＵＳＣＨ伝送がｅＮＢのＭＣＯＴに入ると確定すると、ステップＳ２６０において、ＵＥは第１のチャネル検出プロセスを実行する。
【０１２５】
一方、ｅＮＢがＵＥのＰＵＳＣＨ伝送がｅＮＢのＭＣＯＴ以外に入ると確定すると、ステップＳ２５０において、ＵＥは第２のチャネル検出プロセスを実行する。
【０１２６】
最後、ステップＳ２７０において、ｅＮＢはチャネル検出タイプ配置の結果をＵＥに通知して、ＵＥに対して配置を行う。
【０１２７】
図１４に、タイプＢマルチキャリア操作を使用する際のチャネル検出タイプ配置の結果の例を図示している。
【０１２８】
図１４に示すように、キャリアＣ１はＰｃｅｌｌであり、且つキャリアＣ２〜Ｃ５はＳｃｅｌｌである。さらに、キャリアＣ２はプライマリチャネル、且つキャリアＣ３〜Ｃ５はセカンダリチャネルである。
【０１２９】
図１４に示すように、キャリアＣ２において、ｅＮＢのＭＣＯＴ内で、ＵＥはＬＢＴ  １（第１のチャネル検出プロセス）を実行できる。ｅＮＢのＭＣＯＴ以外で、ＵＥはＬＢＴ  ２（第２のチャネル検出プロセス）を実行する。他のキャリアＣ３、Ｃ４、Ｃ５において、ＵＥは、ＬＢＴ  １（第１のチャネル検出プロセス）を実行する。
【０１３０】
以上で言及されたように、ｅＮＢはＤＣＩ  ｆｏｒｍａｔ  １Ｃを再利用することでチャネル検出タイプを指示できる。言い換えれば、図９に示す添加ユニット９１２は、ＤＣＩ  ｆｏｒｍａｔ  １Ｃを再利用することで、生成した配置情報を物理層シグナリングに添加できる。
【０１３１】
具体的に、ＤＣＩ  ｆｏｒｍａｔ  １Ｃにおいて、ビットｂ０ｂ１ｂ２がＰｃｅｌｌに用いられ、ビットｂ３ｂ４ｂ５がＳｃｅｌｌ  １に用いられ、ビットｂ６ｂ７ｂ８がＳｃｅｌｌ  ２に用いられ、ビットｂ９ｂ１０ｂ１１がＳｃｅｌｌ  ３に用いられ、ビットｂ１２ｂ１３ｂ１４がＳｃｅｌｌ  ４に用いられ、また、スタッフィングビットなどをさらに含む。
【０１３２】
Ｓｃｅｌｌ  １−４に用いられるビットを再利用してもよい。例として、Ｓｃｅｌｌ１−４のうちの一つに用いられる３ビットが「０００」であると、第２のチャネル検出プロセスを実行するように指示する。一方、Ｓｃｅｌｌ  １−４のうちの一つに用いられる３ビットが「１１１」であると、第１のチャネル検出プロセスを実行するように指示する。また、これが所定の長さの時期（例えば６ｍｓ）に対して有効であるように定めてもよい。
【０１３３】
他の一例として、Ｓｃｅｌｌ  １−４のうちの一つに用いられる３ビットのそれぞれについて、「０」が第２のチャネル検出プロセスを実行するように指示し、「１」が第１のチャネル検出プロセスを実行するように指示すると定めてもよい。また、これが所定の長さの時期（例えば２ｍｓ）に対して有効であるように定めてもよい。例えば、Ｓｃｅｌｌ  １−４のうちの一つに用いられる３ビットが「０００」であると、３個の２ｍｓでいずれも第２のチャネル検出プロセスを実行することを表す。Ｓｃｅｌｌ  １−４のうちの一つに用いられる３ビットが「１１０」であると、一番目、二番目の２ｍｓ内で第１のチャネル検出プロセスを実行し、三番目の２ｍｓで第２のチャネル検出プロセスを実行することを表す。
【０１３４】
図１５に、以上のような本開示の実施例によるチャネル検出タイプ指示シグナリングの設計のフローチャートを図示している。
【０１３５】
図１５に示すように、まず、ｅＮＢは、ＵＥへ各々の配置キャリアに対するＵＬ  ｇｒａｎｔを伝送する。
【０１３６】
次に、ｅＮＢは、ＵＥへ、ＵＬ  ｇｒａｎｔに対応する各々の配置キャリアでのＰＵＳＣＨ伝送に用いられるチャネル検出タイプ指示を伝送する。具体的に、本開示の実施例によれば、チャネル検出タイプに関する配置情報を生成し、生成した配置情報を物理層シグナリングに添加して、ＵＥに通知できる。
【０１３７】
次に、ｅＮＢ伝送のチャネル検出タイプ指示に基づいて、ＵＥは複数のキャリアでチャネル検出プロセスを実行する。
【０１３８】
最後、チャネル検出が成功した場合に、ＵＥは、各々の配置キャリアでｅＮＢへＰＵＳＣＨ伝送を行う。
【０１３９】
本開示の他の一実施例によれば、図９に示す生成ユニット９１１は、配置情報として、サブフレーム境界情報を生成してもよい。サブフレーム境界情報は、無線通信システムにおける基地局側のチャネル検出が成功した後のＭＣＯＴ内に入る最後の一つのサブフレームを指示できる。図１６に、当該実施例によるチャネル検出タイプ指示シグナリングの設計の模式図を図示している。
【０１４０】
図１６に示すように、ＵＥはＵＬ  ｇｒａｎｔを受信し、ＵＬ  ｇｒａｎｔがＳＦ４、ＳＦ６、ＳＦ９、ＳＦ１０に対して有効であることを分かる。
【０１４１】
また、ＵＥは、ＳＦ境界情報を受信する。ここのＳＦ境界はＳＦ９である。
【０１４２】
従って、ＵＥは、ＳＦ４、ＳＦ６、ＳＦ９がＭＣＯＴ内に入ることを分かるので、ＵＥはこれらのサブフレームで第１のチャネル検出プロセスを実行する。一方、ＵＥは、ＳＦ１０がＭＣＯＴ以外に入ることを分かるので、ＵＥはＳＦ１０で第２のチャネル検出プロセスを実行する。
【０１４３】
マルチキャリアについて、ｅＮＢは、同様に、ＵＥへマルチキャリアチャネルセンシングタイププロセス（即ち、以上で言及されたタイプＡ又はタイプＢ）を通知してもよい。
【０１４４】
ｅＮＢがタイプＡを選択すると、ｅＮＢは、各々の配置キャリアでＳＦ境界情報を通知してもよい。
【０１４５】
ＵＥがＳＦ境界情報を受信した後、ＵＥが間もなくくるＳＦ番号がＳＦ境界以下であると判断すると、ＵＥは第１のチャネル検出プロセスを使用してアンライセンスキャリアにアクセスする。一方、ＵＥが間もなくくるＳＦ番号がＳＦ境界よりも大きいと判断すると、ＵＥは第２のチャネル検出プロセスを使用してアンライセンスキャリアにアクセスする。また、ＵＥがＳＦ境界情報を受信していないと、ＵＥは第２のチャネル検出プロセスを使用してアンライセンスキャリアにアクセスしてもよい。図１７に、現在の実施例によるチャネル検出タイプ指示シグナリングの設計のフローチャートを図示している。
【０１４６】
図１７に示すように、まず、ｅＮＢは、ＵＥへマルチキャリアセンシング利用タイプＡに関する情報を伝送する。
【０１４７】
次に、ｅＮＢは、ＵＥへ、各々の配置キャリアに対するＵＬ  ｇｒａｎｔを伝送する。
【０１４８】
その後、ｅＮＢは、ＵＥへ、各々の配置キャリアでのＳＦ境界情報を伝送できる。
【０１４９】
次に、受信したＳＦ境界情報に基づいて、ＵＥは各々の配置キャリアでのチャネル検出タイプを確定できる。
【０１５０】
次に、確定したチャネル検出タイプに基づいて、ＵＥは複数のキャリアでチャネル検出プロセスを実行する。
【０１５１】
最後、チャネル検出が成功した場合に、ＵＥは、各々の配置キャリアでｅＮＢへＰＵＳＣＨ伝送を行う。
【０１５２】
一方、ｅＮＢがタイプＢを選択すると、ｅＮＢは、ＵＥへＳＦ境界情報を通知してプライマリチャネルの使用に供してもよい。
【０１５３】
ＵＥがＳＦ境界情報を受信した後、ＵＥが間もなくくるＳＦ番号がＳＦ境界以下であると判断すると、ＵＥは第１のチャネル検出プロセスを使用してプライマリチャネルにアクセスする。一方、ＵＥが間もなくくるＳＦ番号がＳＦ境界よりも大きいと判断すると、ＵＥは第２のチャネル検出プロセスを使用してプライマリチャネルにアクセスする。また、ＵＥがＳＦ境界情報を受信していないと、ＵＥは第２のチャネル検出プロセスを使用してプライマリチャネルにアクセスしてもよい。図１８に、現在の実施例によるチャネル検出タイプ指示シグナリングの設計のフローチャートを図示している。
【０１５４】
図１８に示すように、まず、ｅＮＢは、ＵＥへ、マルチキャリアセンシング利用タイプＢに関する情報を伝送する。
【０１５５】
次に、ｅＮＢは、ＵＥへ、プライマリチャネルとセカンダリチャネル指示に関する情報を伝送する。
【０１５６】
その後、ｅＮＢは、ＵＥへプライマリチャネルでのＳＦ境界情報を伝送できる。
【０１５７】
次に、ｅＮＢは、ＵＥへ、各々の配置キャリアに対するＵＬ  ｇｒａｎｔを伝送する。
【０１５８】
次に、プライマリチャネルとセカンダリチャネル指示に関する情報、及びプライマリチャネルでのＳＦ境界情報に基づいて、ＵＥは各々の配置キャリアでのチャネル検出タイプを確定することができる。
【０１５９】
次に、確定したチャネル検出タイプに基づいて、ＵＥは複数のキャリアでチャネル検出プロセスを実行する。
【０１６０】
最後、チャネル検出が成功した場合に、ＵＥは、各々の配置キャリアでｅＮＢへＰＵＳＣＨ伝送を行う。
【０１６１】
以上で本開示の実施例によるチャネル検出タイプ指示シグナリングの設計を記述した。次に、本開示の実施例によるチャネル検出パラメーターの設計を記述する。図１９に、本開示の実施例による無線通信システムにおける電子機器８００の構造を図示している。
【０１６２】
図１９に示すように、電子機器８００は処理回路８１０を含むことができる。なお、電子機器８００は一つの処理回路８１０を含んでもよく、複数の処理回路８１０を含んでもよい。また、電子機器８００は、トランシーバのような通信ユニット８２０などを含むことができる。
【０１６３】
さらに、処理回路８１０は、各種の独立した機能ユニットを含んで各種の異なる機能及び／又は操作を実行することができる。なお、これらの機能ユニットは、物理実体又は論理実体であってもよく、異なる呼称のユニットは同一の物理実体により実現され得る。
【０１６４】
例えば、図１９に示すように、処理回路８１０は、配置ユニット８１１と、添加ユニット８１２とを含むことができる。
【０１６５】
配置ユニット８１１は、アンライセンスチャネルでのアンライセンスキャリアにチャネル検出パラメーターを配置することができる。
【０１６６】
添加ユニット８１２は、配置されたチャネル検出パラメーターを物理層シグナリングに添加して、ＵＥに通知することができる。
【０１６７】
本開示の実施例による電子機器８００を使用すると、アンライセンスチャネルでのアンライセンスキャリアに配置するチャネル検出パラメーターを確定することができ、これにより、アンライセンスチャネルに対する有効な利用を実現する。
【０１６８】
本開示の実施例によれば、チャネル検出パラメーターは、ランダムバックオフを含み且つコンテンションウィンドウのサイズが可変であるエネルギー検出プロセスにおいて使用されるコンテンションウィンドウのサイズであってもよい。
【０１６９】
本開示の最適な実施例によれば、先の、同一のアップリンクスケジューリングライセンスシグナリングによってスケジューリングされたＰＵＳＣＨ伝送の結果に基づいて、配置ユニット８１１は、アンライセンスキャリアに、ＵＥが同一のアップリンクスケジューリングライセンスシグナリングによってスケジューリングされるＰＵＳＣＨ伝送を含むアップリンク伝送を行う前にチャネル検出プロセスを実行する際に使用されるチャネル検出パラメーターを配置することができる。
【０１７０】
本開示の他の最適な実施例によれば、先の、同一のダウンリンクサブフレームでキャリアされるアップリンクスケジューリングライセンスシグナリングによってスケジューリングされたＰＵＳＣＨ伝送の結果に基づいて、配置ユニット８１１は、アンライセンスキャリアに、ＵＥが同一のダウンリンクサブフレームでキャリアされるアップリンクスケジューリングライセンスシグナリングによってスケジューリングされるＰＵＳＣＨ伝送を含むアップリンク伝送を行う前にチャネル検出プロセスを実行する際に使用されるチャネル検出パラメーターを配置してもよい。
【０１７１】
具体的に、ｅＮＢは、一定のＰＵＳＣＨ伝送に基づいてＣＷＳ調整（即ちチャネル検出パラメーター配置）を行ってもよく、これらのＰＵＳＣＨ伝送は同一のＵＬ  ｇｒａｎｔを共有するか、同一のＳＦで送信する異なるＵＬ  ｇｒａｎｔを使用する。前で言及されたＰＵＳＣＨ伝送がなければ、ｅＮＢは、全ての先のＰＵＳＣＨ伝送に基づいてＣＷＳ調整を行ってもよい。図２０に、現在の実施例によるチャネル検出パラメーターの設計の模式図を示している。
【０１７２】
図２０に示すように、本開示の実施例によれば、ＳＦ１２の前のＣＷＳは、ＳＦ８とＳＦ１１におけるＰＵＳＣＨ伝送に基づいて調整を行うことができ、ＳＦ１５の前のＣＷＳは、ＳＦ８、ＳＦ１１、ＳＦ１２におけるＰＵＳＣＨ伝送に基づいて調整を行うことができ、そして、ＳＦ１６の前のＣＷＳは、ＳＦ８、ＳＦ１１、ＳＦ１２、ＳＦ１５におけるＰＵＳＣＨ伝送に基づいて調整を行うことができる。例えば、ＰＵＳＣＨ伝送の成功率に基づいてＣＷＳを調整することができる。ＰＵＳＣＨ伝送の応答としてのＮＡＣＫの数が多いほど、ＰＵＳＣＨ伝送の成功率が低いことを表すので、ＣＷＳを大きくする必要がある。逆に、ＮＡＣＫの数が少ないほど、ＰＵＳＣＨ伝送の成功率が高いことを表すので、ＣＷＳを小さくする。
【０１７３】
なお、本開示の実施例によれば、以上のような無線通信システムはＬＡＡシステムであってもよく、そして、電子機器４００、７００、８００、９００は無線通信システムにおける基地局であってもよい。
【０１７４】
次に、図２１に基づいて本開示の他の実施例による無線通信システムにおける電子機器６００を記述する。
【０１７５】
図２１に、本開示の他の実施例による無線通信システムにおける電子機器６００の構造を図示している。
【０１７６】
図２１に示すように、電子機器６００は処理回路６１０を含むことができる。なお、電子機器６００は一つの処理回路６１０を含んでもよく、複数の処理回路６１０を含んでもよい。また、電子機器６００は、トランシーバのような通信ユニット６２０などを含むことができる。
【０１７７】
以上で言及されたように、同様に、処理回路６１０は各種の独立した機能ユニットを含んで各種の異なる機能及び／又は操作を実行することができる。なお、これらの機能ユニットは、物理実体又は論理実体であってもよく、異なる呼称のユニットは同一の物理実体により実現され得る。
【０１７８】
例えば、図２１に示すように、処理回路６１０は、取得ユニット６１１と抽出ユニット６１２とを含むことができる。
【０１７９】
取得ユニット６１１は、（例えば通信ユニット６２０を介して）無線通信システムにおける基地局からのダウンリンクシグナリング（例えば物理層シグナリング又はＭＡＣ層シグナリング）を取得することができる。
【０１８０】
抽出ユニット６１２は、取得ユニット６１１によって取得されたダウンリンクシグナリングから、アップリンクスケジューリングライセンスシグナリングをキャリアするダウンリンクサブフレームと、アップリンクスケジューリングライセンスシグナリングによってスケジューリングされる、アンライセンスチャネルで行われるＰＵＳＣＨ伝送を含むアップリンク伝送をキャリアするアップリンクサブフレームとの間の時間マッピング情報を抽出することができる。
【０１８１】
好ましくは、処理回路６１０（例えば取得ユニット６１１）は、一つのアップリンクスケジューリングライセンスシグナリングを取得してもよい。さらに、処理回路６１０（例えば抽出ユニット６１２）は、このアップリンクスケジューリングライセンスシグナリングから、このアップリンクスケジューリングライセンスシグナリングをキャリアする一つのダウンリンクサブフレームと、このアップリンクスケジューリングライセンスシグナリングによってスケジューリングされる、ＰＵＳＣＨ伝送を含むアップリンク伝送をキャリアする複数のアップリンクサブフレームとの間の時間マッピング情報を抽出してもよい。
【０１８２】
好ましくは、処理回路６１０（例えば取得ユニット６１１）は、同一のダウンリンクサブフレームにキャリアされる複数のアップリンクスケジューリングライセンスシグナリングを取得してもよい。さらに、処理回路６１０（例えば抽出ユニット６１２）は、複数のアップリンクスケジューリングライセンスシグナリングのそれぞれから、同一のダウンリンクサブフレームと、複数のアップリンクスケジューリングライセンスシグナリングのそれぞれによってスケジューリングされるＰＵＳＣＨ伝送を含むアップリンク伝送をキャリアする一つのアップリンクサブフレームとの間の各時間マッピング情報を抽出してもよい。
【０１８３】
好ましくは、処理回路６１０（例えば確定ユニット、図示せず）は、次のアップリンクスケジューリングライセンスシグナリングをキャリアする次のダウンリンクサブフレームの前の全てのアップリンクサブフレームでキャリアされるＰＵＳＣＨ伝送をスケジューリングできるように一つのアップリンクスケジューリングライセンスシグナリングを確定してもよい。さらに、処理回路６１０（例えば抽出ユニット６１２）は、時間マッピング情報として、物理層シグナリング又はＭＡＣ層シグナリングから、このアップリンクスケジューリングライセンスシグナリングをキャリアするダウンリンクサブフレームと、実際にこのアップリンクスケジューリングライセンスシグナリングによってスケジューリングされるＰＵＳＣＨ伝送を含むアップリンク伝送をキャリアするアップリンクサブフレームとの間の実時間マッピング情報を抽出するしてもよい。
【０１８４】
好ましくは、時間マッピング情報に基づいて、処理回路６１０（例えば生成ユニット、図示せず）は、アンライセンスチャネルでＰＵＳＣＨ伝送を含むアップリンク伝送を行う指令を生成してもよい。
【０１８５】
好ましくは、処理回路６１０（例えば抽出ユニット６１２）は、物理層シグナリングから、アンライセンスチャネルでＰＵＳＣＨ伝送を含むアップリンク伝送を行う前にチャネル検出プロセスを実行するチャネル検出タイプに関する配置情報を抽出してもよい。より好ましくは、処理回路６１０（例えば抽出ユニット６１２）は、再利用されたＤＣＩ  ｆｏｒｍａｔ  １Ｃから配置情報を抽出してもよい。
【０１８６】
好ましくは、処理回路６１０（例えば取得ユニット６１１）は、配置情報として、サブフレーム境界情報を取得してもよく、前記サブフレーム境界情報は無線通信システムにおける基地局側のチャネル検出が成功した後のＭＣＯＴ内に入る最後の一つのサブフレームを指示する。
【０１８７】
好ましくは、配置情報に基づいて、処理回路６１０（例えば生成ユニット、図示せず）は、アンライセンスチャネルでＰＵＳＣＨ伝送を含むアップリンク伝送を行う前に第１のチャネル検出プロセス又は第２のチャネル検出プロセスを実行する指令を生成してもよい。以上で言及されたように、第１のチャネル検出プロセスはランダムバックオフを含まないエネルギー検出プロセスであってもよく、且つ第２のチャネル検出プロセスはランダムバックオフを含み且つコンテンションウィンドウのサイズが可変であるエネルギー検出プロセスであってもよい。
【０１８８】
好ましくは、処理回路６１０（例えば抽出ユニット６１２）は、物理層シグナリングからチャネル検出パラメーターを抽出してもよい。さらに、抽出されたチャネル検出パラメーターに基づいて、処理回路６１０（例えば配置ユニット、図示せず）は、アンライセンスチャネルでのアンライセンスキャリアにチャネル検出パラメーターを配置してもよい。より好ましくは、チャネル検出パラメーターは、ランダムバックオフを含み且つコンテンションウィンドウのサイズが可変であるエネルギー検出プロセスにおいて使用されるコンテンションウィンドウのサイズであってもよい。
【０１８９】
なお、本開示の実施例によれば、以上のような無線通信システムはＬＡＡシステムであってもよく、且つ電子機器６００は無線通信システムにおけるＵＥであってもよい。
【０１９０】
以上のように、本開示の実施例によれば、無線通信システムを提供でき、当該無線通信システムは基地局とユーザー機器とを含み、なお、前記基地局は、第１のトランシーバ及び一つ又は複数の第１の処理回路を含み、前記第１の処理回路は、アップリンクスケジューリングライセンスシグナリングをキャリアするダウンリンクサブフレームと、前記アップリンクスケジューリングライセンスシグナリングによってスケジューリングされる、前記ユーザー機器がアンライセンスチャネルで行うＰＵＳＣＨ伝送を含むアップリンク伝送をキャリアするアップリンクサブフレームとの間の時間マッピング情報を配置し、前記第１のトランシーバに前記時間マッピング情報を前記ユーザー機器に通知させる、操作を実行するように配置されており、前記ユーザー機器は、第２のトランシーバ及び一つ又は複数第２の処理回路を含み、前記第２の処理回路は、前記第２のトランシーバにより前記基地局からのダウンリンクシグナリングを取得し、前記ダウンリンクシグナリングから前記時間マッピング情報を抽出する、操作を実行するように配置されている。
【０１９１】
次に、図２２を参照して本開示の実施例による無線通信システムにおいて無線通信を行うための方法を記述する。図２２に、本開示の実施例による無線通信方法のフローチャートを示している。
【０１９２】
図２２に示すように、まず、ステップＳ３１０において、アップリンクスケジューリングライセンスシグナリングをキャリアするダウンリンクサブフレームと、アップリンクスケジューリングライセンスシグナリングによってスケジューリングされる、無線通信システムにおけるユーザー機器がアンライセンスチャネルで行うＰＵＳＣＨ伝送を含むアップリンク伝送をキャリアするアップリンクサブフレームとの間の時間マッピング情報を配置する。
【０１９３】
次に、ステップＳ３２０において、時間マッピング情報をユーザー機器に通知する。
【０１９４】
好ましくは、時間マッピング情報を配置する場合に、一つのアップリンクスケジューリングライセンスシグナリングをキャリアする一つのダウンリンクサブフレームを、この一つのアップリンクスケジューリングライセンスシグナリングによってスケジューリングされるＰＵＳＣＨ伝送を含むアップリンク伝送をキャリアする複数のアップリンクサブフレームにマッピングしてもよく、且つ時間マッピング情報をアップリンクスケジューリングライセンスシグナリングに添加してもよい。
【０１９５】
好ましくは、ダウンリンクサブフレームは複数のアップリンクスケジューリングライセンスシグナリングをキャリアしてもよい。この場合に、複数のアップリンクスケジューリングライセンスシグナリングのそれぞれをキャリアするダウンリンクサブフレームと、複数のアップリンクスケジューリングライセンスシグナリングのそれぞれにスケジューリングされる、ＰＵＳＣＨ伝送を含むアップリンク伝送をキャリアする一つのアップリンクサブフレームとの間の各時間マッピング情報を配置してもよい。さらに、各時間マッピング情報を複数のアップリンクスケジューリングライセンスシグナリングのそれぞれに添加してユーザー機器に通知してもよい。
【０１９６】
好ましくは、次のアップリンクスケジューリングライセンスシグナリングをキャリアする次のダウンリンクサブフレームの前の全てのアップリンクサブフレームでキャリアされるＰＵＳＣＨ伝送を含むアップリンク伝送をスケジューリングできるように一つのアップリンクスケジューリングライセンスシグナリングを配置してもよい。さらに、一つのアップリンクスケジューリングライセンスシグナリングをキャリアするダウンリンクサブフレームと、実際にこの一つのアップリンクスケジューリングライセンスシグナリングによってスケジューリングされる、ＰＵＳＣＨ伝送を含むアップリンク伝送をキャリアするアップリンクサブフレームとの間の実時間マッピング情報を配置してもよい。さらに、実時間マッピング情報を物理層シグナリング又はＭＡＣ層シグナリングに添加して、ユーザー機器に通知してもよい。
【０１９７】
好ましくは、本開示の実施例による方法は、ユーザー機器がアンライセンスチャネルでＰＵＳＣＨ伝送を含むアップリンク伝送を行う前にチャネル検出プロセスを実行するチャネル検出タイプに関する配置情報を生成してもよい。さらに、生成した配置情報を物理層シグナリングに添加して、ユーザー機器に通知してもよい。
【０１９８】
好ましくは、配置情報を生成する場合に、アンライセンスチャネルでの複数のアンライセンスキャリアを互いに独立に設定してもよい。複数のアンライセンスキャリアのそれぞれに対して、ＰＵＳＣＨ伝送を含むアップリンク伝送をキャリアするアップリンクサブフレームがＭＣＯＴ内に入る場合に、チャネル検出タイプを第１のチャネル検出プロセスに配置でき、ＰＵＳＣＨ伝送を含むアップリンクサブフレームをキャリアするアップリンクサブフレームがＭＣＯＴ以外に入る場合に、チャネル検出タイプを第２のチャネル検出プロセスに配置できる。
【０１９９】
好ましくは、配置情報を生成する場合に、アンライセンスチャネルでの複数のアンライセンスキャリアのうちの一つをプライマリチャネルに設置し、且つ、他のアンライセンスキャリアをセカンダリチャネルに設置してもよい。この場合、セカンダリチャネルに対するチャネル検出タイプを第１のチャネル検出プロセスに配置できる。プライマリチャネルに対して、ＰＵＳＣＨ伝送を含むアップリンクをキャリアするアップリンクサブフレームがＭＣＯＴ内に入る場合に、チャネル検出タイプを第１のチャネル検出プロセスに配置でき、ＰＵＳＣＨ伝送を含むアップリンクフレームキャリアするアップリンクサブフレームがＭＣＯＴ以外に入る場合に、チャネル検出タイプを第２のチャネル検出プロセスに配置できる。上記で言及されたように、第１のチャネル検出プロセスはランダムバックオフを含まないエネルギー検出プロセスであり、且つ、第２のチャネル検出プロセスはランダムバックオフを含み且つコンテンションウィンドウのサイズが可変であるエネルギー検出プロセスである。
【０２００】
好ましくは、生成された配置情報を物理層シグナリングに添加するように、ＤＣＩ  ｆｏｒｍａｔ  １Ｃを再利用してもよい。
【０２０１】
好ましくは、配置情報として、サブフレーム境界情報を生成してもよく、前記サブフレーム境界情報は、無線通信システムにおける基地局側のチャネル検出が成功した後のＭＣＯＴ内に入る最後の一つのサブフレームを指示する。
【０２０２】
好ましくは、本開示の実施例による方法は、アンライセンスチャネルでのアンライセンスキャリアにチャネル検出パラメーターを配置してもよい。さらに、配置されたチャネル検出パラメーターを物理層シグナリングに添加して、ユーザー機器に通知してもよい。
【０２０３】
好ましくは、先の、同一のアップリンクスケジューリングライセンスシグナリングによってスケジューリングされるＰＵＳＣＨ伝送を含むアップリンク伝送の結果に基づいて、アンライセンスキャリアに、ユーザー機器が同一のアップリンクスケジューリングライセンスシグナリングによってスケジューリングされるＰＵＳＣＨ伝送を含むアップリンク伝送を行う前にチャネル検出プロセスを実行する際に使用されるチャネル検出パラメーターを配置してもよい。
【０２０４】
好ましくは、先の、同一のダウンリンクサブフレームでキャリアされるアップリンクスケジューリングライセンスシグナリングによってスケジューリングされるＰＵＳＣＨ伝送を含むアップリンク伝送の結果に基づいて、アンライセンスキャリアに、ユーザー機器が同一のダウンリンクサブフレームでキャリアされるアップリンクスケジューリングライセンスシグナリングによってスケジューリングされるＰＵＳＣＨ伝送を含むアップリンク伝送を行う前にチャネル検出プロセスを実行する際に使用されるチャネル検出パラメーターを配置してもよい。
【０２０５】
次に、図２３を参照して本開示の他の実施例による無線通信システムにおいて無線通信を行うための方法を記述する。図２３に、本開示の他の実施例による無線通信方法のフローチャートを図示している。
【０２０６】
図２３に示すように、まず、ステップＳ４１０において、無線通信システムにおける基地局からのダウンリンクシグナリング（例えば物理層シグナリング又はＭＡＣ層シグナリング）を取得する。
【０２０７】
次に、ステップＳ４２０において、物理層シグナリング又はＭＡＣ層シグナリングから、アップリンクスケジューリングライセンスシグナリングをキャリアするダウンリンクサブフレームと、アップリンクスケジューリングライセンスシグナリングによってスケジューリングされるアンライセンスチャネルで行われるＰＵＳＣＨ伝送を含むアップリンク伝送をキャリアするアップリンクサブフレームとの間の時間マッピング情報を抽出する。
【０２０８】
好ましくは、一つのアップリンクスケジューリングライセンスシグナリングを取得してもよい。さらに、一つのアップリンクスケジューリングライセンスシグナリングから、このアップリンクスケジューリングライセンスシグナリングをキャリアする一つのダウンリンクサブフレームと、このアップリンクスケジューリングライセンスシグナリングによってスケジューリングされるＰＵＳＣＨ伝送を含むアップリンク伝送をキャリアする複数のアップリンクサブフレームとの間の時間マッピング情報を抽出してもよい。
【０２０９】
好ましくは、同一のダウンリンクサブフレームでキャリアされる複数のアップリンクスケジューリングライセンスシグナリングを取得してもよい。さらに、複数のアップリンクスケジューリングライセンスシグナリングのそれぞれから、同一のダウンリンクサブフレームと、複数のアップリンクスケジューリングライセンスシグナリングのそれぞれによってスケジューリングされるＰＵＳＣＨ伝送を含むアップリンク伝送をキャリアする一つのアップリンクサブフレームとの間の各時間マッピング情報を抽出してもよい。
【０２１０】
好ましくは、次のアップリンクスケジューリングライセンスシグナリングをキャリアする次のダウンリンクサブフレームの前の全てのアップリンクサブフレームでキャリアされるＰＵＳＣＨ伝送をスケジューリングできるように、一つのアップリンクスケジューリングライセンスシグナリングを確定してもよい。さらに、物理層シグナリング又はＭＡＣ層シグナリングから、時間マッピング情報として、このアップリンクスケジューリングライセンスシグナリングをキャリアするダウンリンクサブフレームと、実際にこのアップリンクスケジューリングライセンスシグナリングによってスケジューリングされるＰＵＳＣＨ伝送を含むアップリンク伝送をキャリアするアップリンクサブフレームとの間の実時間マッピング情報を抽出してもよい。
【０２１１】
好ましくは、時間マッピング情報に基づいて、アンライセンスチャネルでＰＵＳＣＨ伝送を含むアップリンク伝送を行う指令を生成してもよい。
【０２１２】
好ましくは、本開示の実施例による方法は、物理層シグナリングから、アンライセンスチャネルでＰＵＳＣＨ伝送を含むアップリンク伝送を行う前にチャネル検出プロセスを実行するチャネル検出タイプに関する配置情報を抽出してもよい。より好ましくは、再利用されたＤＣＩ  ｆｏｒｍａｔ  １Ｃから配置情報を抽出してもよい。
【０２１３】
好ましくは、配置情報としてサブフレーム境界情報を取得してもよく、前記サブフレーム境界情報は、無線通信システムにおける基地局側のチャネル検出が成功した後のＭＣＯＴ内に入る最後の一つのサブフレームを指示する。
【０２１４】
好ましくは、配置情報に基づいて、アンライセンスチャネルでＰＵＳＣＨ伝送を含むアップリンク伝送を行う前に第１のチャネル検出プロセス又は第２のチャネル検出プロセスを実行する指令を生成してもよい。ここで、第１のチャネル検出プロセスは、ランダムバックオフを含まないエネルギー検出プロセスであり、且つ、第２のチャネル検出プロセスはランダムバックオフを含み且つコンテンションウィンドウのサイズが可変であるエネルギー検出プロセスである。
【０２１５】
好ましくは、本開示の実施例による方法は、物理層シグナリングから、チャネル検出パラメーターを抽出してもよい。さらに、抽出されたチャネル検出パラメーターに基づいて、アンライセンスチャネルにおけるアンライセンスキャリアにチャネル検出パラメーターを配置してもよい。
【０２１６】
本開示の実施例による無線通信システムにおいて無線通信を行うための方法の上記それぞれのステップの様々な具体的な実施形態については、前で詳細に記述したので、ここで重複しない。
【０２１７】
本開示の技術は各種の製品に応用できる。例えば、本開示で言及された基地局は、任意のタイプの進化型ノードＢ（ｅＮＢ）、例えばマクロｅＮＢとスモールｅＮＢとして実現されてもよい。スモールｅＮＢはマクロセルよりも小さいセルをカバーするｅＮＢ、例えばピコｅＮＢ、マイクロｅＮＢ、ホーム（フェムト）ｅＮＢであってもよい。その代わりに、基地局は、任意の他のタイプの基地局、例えばＮｏｄｅＢとベーストランシーバ基地局（ＢＴＳ）として実現されることが可能である。基地局は、無線通信を制御するように配置される本体（基地局デバイスとも称する）と、本体と異なる箇所に設置された一つ又は複数のリモート無線ヘッド（ＲＲＨ）とを含むことができる。また、以下記述する各種のタイプの端末は、基地局機能を一時又は半恒久的に実行することにより基地局として作動する。
【０２１８】
例えば、本開示で言及されたＵＥは、例えば、移動端末（例えばスマートフォン、タブレットパーソナルコンピュータ（ＰＣ）、ノートＰＣ、携帯型ゲーム端末、携帯型／ウオッチドッグ型移動ルータとデジタル撮像装置）又は車載端末（例えばカーナビゲーションデバイス）として実現されてもよい。ＵＥは、マシンツーマシン（Ｍ２Ｍ）通信を実行する端末（マシン型通信（ＭＴＣ）端末とも称する）として実現されてもよい。また、ＵＥは、上記端末における端末ごとに取り付けられた無線通信モジュール（例えば一つのチップを含む集成回路モジュール）であってもよい。
【０２１９】
図２４は、本開示の技術を応用できるｅＮＢの概略的な構成の第１の例を示すブロック図である。ｅＮＢ１０００は、一つ又は複数のアンテナ１０１０及び基地局デバイス１０２０を含む。基地局デバイス１０２０と各アンテナ１０１０はＲＦケーブルを介して互いに接続されてもよい。
【０２２０】
アンテナ１０１０の各々は、一つの又は複数のアンテナ素子（例えば、マルチ入力・マルチ出力（ＭＩＭＯ）アンテナに含まれる複数のアンテナ素子）を含み、基地局デバイス１０２０による無線信号の送受信のために用いられる。ｅＮＢ１０００は、図２４に示したように複数のアンテナ１０１０を含んでもよく、複数のアンテナ１０１０は、例えばｅＮＢ１０００が使用する複数の周波数帯域と共用してもよい。ここで、図２４にｅＮＢ１０００が複数のアンテナ１０１０を含む例を示したが、ｅＮＢ１０００は一つのアンテナ１０１０を含んでもよい。
【０２２１】
基地局デバイス１０２０は、コントローラ１０２１、メモリ１０２２、ネットワークインタフェース１０２３、及び無線通信インタフェース１０２５を含む。
【０２２２】
コントローラ１０２１は、例えばＣＰＵ又はＤＳＰであってよく、基地局デバイス１０２０の上位レイヤの様々な機能を操作する。例えば、コントローラ１０２１は、無線通信インタフェース１０２５により処理された信号内のデータからデータパケットを生成し、生成したパケットをネットワークインタフェース１０２３を介して転送する。コントローラ１０２１は、複数のベースバンドプロセッサからのデータをバンドルすることによりバンドルドパケットを生成し、生成したバンドルドパケットを転送してもよい。また、コントローラ１０２１は、無線リソース管理、無線ベアラ制御、移動性管理、流入制御、及びスケジューリングのような制御を実行する論理的な機能を有してもよい。また、当該制御は、周辺のｅＮＢ又はコアネットワークノードと連携して実行されてもよい。メモリ１０２２は、ＲＡＭ及びＲＯＭを含み、コントローラ１０２１により実行されるプログラム、及び様々な制御データ（例えば、端末リスト、伝送電力データ及びスケジューリングデータなど）を記憶する。
【０２２３】
ネットワークインタフェース１０２３は、基地局デバイス１０２０をコアネットワーク１０２４に接続するための通信インタフェースである。コントローラ１０２１は、ネットワークインタフェース１０２３を介してコアネットワークノード又は他のｅＮＢと通信してもよい。この場合、ｅＮＢ１０００とコアネットワークノード又は他のｅＮＢとはロジックインタフェース（例えばＳ１インタフェースとＸ２インタフェース）により互いに接続される。ネットワークインタフェース１０２３は、有線通信インタフェース、又は無線バックホール回線に用いられる無線通信インタフェースであってもよい。ネットワークインタフェース１０２３が無線通信インタフェースであると、ネットワークインタフェース１０２３は無線通信インタフェース１０２５により使用される周波数帯域よりも高い周波数帯域を無線通信に使用できる。
【０２２４】
無線通信インタフェース１０２５は、任意のセルラー通信方式（例えば、ＬＴＥ（Ｌｏｎｇ  Ｔｅｒｍ  Ｅｖｏｌｕｔｉｏｎ）、ＬＴＥ−Ａｄｖａｎｃｅｄ）をサポートし、アンテナ１０１０を介して、ｅＮＢ１０００のセル内に位置する端末までの無線接続を提供する。無線通信インタフェース１０２５は、一般的に、ベースバンド（ＢＢ）プロセッサ１０２６及びＲＦ回路１０２７を含むことができる。ＢＢプロセッサ１０２６は、例えば、符号化／復号化、変調／復調及び多重化／逆多重化を実行でき、レイヤ（例えばＬ１、メディアアクセス制御（ＭＡＣ）、無線リンク制御（ＲＬＣ）、パケットデータ収束プロトコル（ＰＤＣＰ））の様々な信号処理を実行できる。コントローラ１０２１に代えて、ＢＢプロセッサ１０２６は上記ロジック機能の一部又は全部を有してもよい。ＢＢプロセッサ１０２６は通信制御プログラムを記憶するメモリであってもよく、又はプログラムを実行するように配置されるプロセッサ及び関連する回路を含むモジュールであってもよい。ＢＢプロセッサ１０２６の機能はプログラムの更新により変更可能である。当該モジュールは基地局デバイス１０２０のスロットに挿入されるカード若しくはブレードであってもよい。代わりに、当該モジュールはカード若しくはブレードに搭載されるチップであってもよい。一方、ＲＦ回路１０２７は例えばミキサ、フィルタ及びアンプを含んでもよく、アンテナ１０１０を介して無線信号を送受信する。
【０２２５】
図２４に示すように、無線通信インタフェース１０２５は複数のＢＢプロセッサ１０２６を含んでもよい。例えば、複数のＢＢプロセッサ１０２６はｅＮＢ１０００が使用する複数の周波数帯域と共用されてもよい。図２４に示すように、無線通信インタフェース１０２５は複数のＲＦ回路１０２７を含んでもよい。例えば、複数のＲＦ回路１０２７は複数のアンテナ素子と共用されてもよい。図２４は無線通信インタフェース１０２５が複数のＢＢプロセッサ１０２６と複数のＲＦ回路１０２７とを含む例を示したが、無線通信インタフェース１０２５は一つのＢＢプロセッサ１０２６又は一つのＲＦ回路１０２７を含んでもよい。
【０２２６】
図２５は、本開示の技術を応用できるｅＮＢの概略的な構成の第２の例を示すブロック図である。ｅＮＢ１１３０は一つ又複数のアンテナ１１４０と、基地局デバイス１１５０と、ＲＲＨ１１６０とを含む。ＲＲＨ１１６０は各アンテナ１１４０とＲＦケーブルを介して互いに接続されてもよい。基地局デバイス１１５０とＲＲＨ１１６０は例えば光ファイバケーブルのような高速回線で互いに接続されてもよい。
【０２２７】
アンテナ１１４０の各々は、一つの又は複数のアンテナ素子（例えば、ＭＩＭＯアンテナに含まれる複数のアンテナ素子）を含み、ＲＲＨ１１６０による無線信号の送受信のために用いられる。図２５に示すように、ｅＮＢ１１３０は複数のアンテナ１１４０を含んでもよい。例えば、複数のアンテナ１１４０はｅＮＢ１１３０が使用する複数の周波数帯域と共用されてもよい。図２５はｅＮＢ１１３０が複数のアンテナ１１４０を含む例を示したが、ｅＮＢ１１３０は一つのアンテナ１１４０を含んでもよい。
【０２２８】
基地局デバイス１１５０は、コントローラ１１５１、メモリ１１５２、ネットワークインタフェース１１５３、無線通信インタフェース１１５５、及び接続インタフェース１１５７を含む。コントローラ１１５１、メモリ１１５２、及びネットワークインタフェース１１５３は図２４を参考して記述されたコントローラ１０２１、メモリ１０２２、及びネットワークインタフェース１０２３と同じである。
【０２２９】
無線通信インタフェース１１５５は任意のセルラー通信方式（例えばＬＴＥ、ＬＴＥ−Ａｄｖａｎｃｅｄ）をサポートし、ＲＲＨ１１６０とアンテナ１１４０とを介してＲＲＨ１１６０に対応するセクタ内に位置する端末までの無線通信を提供する。無線通信インタフェース１１５５は、一般的に、例えばＢＢプロセッサ１１５６を含んでもよい。ＢＢプロセッサ１１５６が接続インタフェース１１５７を介してＲＲＨ１１６０のＲＦ回路１１６４と接続される他、ＢＢプロセッサ１１５６は図２４を参考して記述されたＢＢプロセッサ１０２６と同じである。図２５に示すように、無線通信インタフェース１１５５は複数のＢＢプロセッサ１１５６を含んでもよい。例えば、複数のＢＢプロセッサ１１５６はｅＮＢ１１３０が使用する複数の周波数帯域と共用されてもよい。図２５は無線通信インタフェース１１５５が複数のＢＢプロセッサ１１５６を含む例を示したが、無線通信インタフェース１１５５は一つのＢＢプロセッサ１１５６を含んでもよい。
【０２３０】
接続インタフェース１１５７は基地局デバイス１１５０（無線通信インタフェース１１５５）をＲＲＨ１１６０に接続するためのインタフェースである。接続インタフェース１１５７は基地局デバイス１１５０（無線通信インタフェース１１５５）をＲＲＨ１１６０と接続する上記高速回線での通信のための通信モジュールであってもよい。
【０２３１】
ＲＲＨ１１６０は、接続インタフェース１１６１と無線通信インタフェース１１６３とを含む。
【０２３２】
接続インタフェース１１６１は、ＲＲＨ１１６０（無線通信インタフェース１１６３）を基地局デバイス１１５０に接続するためのインタフェースである。接続インタフェース１１６１は上記高速回線での通信のための通信モジュールであってもよい。
【０２３３】
無線通信インタフェース１１６３は、アンテナ１１４０を介して無線信号を送受信する。無線通信インタフェース１１６３は、一般的に、例えばＲＦ回路１１６４を含んでもよい。ＲＦ回路１１６４は、例えばミキサ、フィルタ及びアンプなどを含んでもよく、アンテナ１１４０を介して無線信号を送受信する。図２５に示すように、無線通信インタフェース１１６３は複数のＲＦ回路１１６４を含んでもよい。例えば、複数のＲＦ回路１１６４は複数のアンテナ素子をサポートできる。図２５は無線通信インタフェース１１６３が複数のＲＦ回路１１６４を含む例を示したが、無線通信インタフェース１１６３は一つのＲＦ回路１１６４を含んでもよい。
【０２３４】
図２４と図２５に示すｅＮＢ１０００とｅＮＢ１１３０において、図４を使用して記述した処理回路４１０及びその中の配置ユニット４１１、添加ユニット４１２、図７を使用して記述した処理回路７１０及びその中の設置ユニット７１１、配置ユニット７１２、添加ユニット７１３、図９を使用して記述した処理回路９１０及びその中の生成ユニット９１１、添加ユニット９１２及び図１９を使用して記述した処理回路８１０及びその中の配置ユニット８１１、添加ユニット８１２は、コントローラ１０２１及び／又はコントローラ１１５１により実現されてもよく、そして、図４を使用して記述した通信ユニット４２０、そして、図７を使用して記述した通信ユニット７２０、そして、図９を使用して記述した通信ユニット９２０及び図１９を使用して記述した通信ユニット８２０は無線通信インタフェース１０２５及び無線通信インタフェース１１５５及び／又は無線通信インタフェース１１６３により実現されてもよい。機能の少なくとも一部はコントローラ１０２１とコントローラ１１５１とにより実現されてもよい。例えば、コントローラ１０２１及び／又はコントローラ１１５１は、相応するメモリに記憶されているコマンドを実行することで、配置機能と添加機能を実行してもよい。
【０２３５】
図２６は、本開示の技術を応用できるスマートフォン１２００の概略的な構成の一例を示すブロック図である。スマートフォン１２００は、プロセッサ１２０１、メモリ１２０２、記憶装置１２０３、外部接続インタフェース１２０４、撮像装置１２０６、センサ１２０７、マイクロフォン１２０８、入力装置１２０９、表示装置１２１０、スピーカ１２１１、無線通信インタフェース１２１２、一つ又は複数のアンテナスイッチ１２１５、一つ又は複数のアンテナ１２１６、バス１２１７、バッテリー１２１８、及び補助コントローラ１２１９を含む。
【０２３６】
プロセッサ１２０１は例えばＣＰＵ又はＳｏＣ（Ｓｙｓｔｅｍ  ｏｎ  Ｃｈｉｐ）であってもよく、スマートフォン１２００のアプリケーションレイヤ及びその他のレイヤの機能を制御する。メモリ１２０２はＲＡＭとＲＯＭを含み、データと、プロセッサ１２０１により実行されるプログラムを記憶する。記憶装置１２０３は記憶媒体、例えば半導体メモリ又はハードディスクを含んでもよい。外部接続インタフェース１２０４は、外部装置（例えばメモリーカード又はＵＳＢ（Ｕｎｉｖｅｒｓａｌ  Ｓｅｒｉａｌ  Ｂｕｓ）デバイス）をスマートフォン１２００に接続するためのインタフェースである。
【０２３７】
撮像装置１２０６は、画像センサ（例えばＣＣＤ（Ｃｈａｒｇｅ  Ｃｏｕｐｌｅｄ  Ｄｅｖｉｃｅ）、ＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ））を含み、キャプチャ画像を生成する。センサ１２０７は例えば、測定センサ、ジャイロセンサ、地磁気センサ及び加速度センサなどのセンサ群を含んでもよい。マイクロフォン１２０８は、スマートフォン１２００に入力される音声を音声信号に変換する。入力装置１２０９は、例えば表示装置１２１０のスクリーン上のタッチを検出するように配置されるタッチセンサ、キーパッド、キーボード、ボタン又はスイッチを含み、ユーザーから入力される操作又は情報を受信する。表示装置１２１０は、スクリーン（例えば液晶ディスプレイ（ＬＣＤ）、有機発光ダイオード（ＯＬＥＤ）ディスプレイ）を含み、スマートフォン１２００の出力画像を表示する。スピーカ１２１１は、スマートフォン１２００から出力される音声信号を音声に変換する。
【０２３８】
無線通信インタフェース１２１２は、任意のセルラー通信方式（例えばＬＴＥ、ＬＴＥ−Ａｄｖａｎｃｅｄ）をサポートし、無線通信を実行する。無線通信インタフェース１２１２は、一般的に、例えばＢＢプロセッサ１２１３とＲＦ回路１２１４とを含んでもよい。ＢＢプロセッサ１２１３は例えば符号化／復号化、変調／復調及び多重化／逆多重化を実行してもよく、無線通信のための様々なタイプの信号処理を実行する。一方、ＲＦ回路１２１４は例えばミキサ、フィルタ及びアンプを含んでもよく、アンテナ１２１６を介して無線信号を送受信する。無線通信インタフェース１２１２は、ＢＢプロセッサ１２１３とＲＦ回路１２１４を集積したワンチップのモジュールであってもよい。図２６に示すように、無線通信インタフェース１２１２は複数のＢＢプロセッサ１２１３と複数のＲＦ回路１２１４を含んでもよい。図２６は無線通信インタフェース１２１２が複数のＢＢプロセッサ１２１３と複数のＲＦ回路１２１４を含む例を示したが、無線通信インタフェース１２１２は一つのＢＢプロセッサ１２１３又は一つのＲＦ回路１２１４を含んでもよい。
【０２３９】
また、セルラー通信方式を除き、無線通信インタフェース１２１２は他の種類の無線通信方式、例えば近距離無線通信方式、近接無線通信方式又は無線ＬＡＮ（Ｌｏｃａｌ  Ａｒｅａ  Ｎｅｔｗｏｒｋ）方式をサポートできる。この場合、無線通信インタフェース１２１２は無線通信方式ごとのＢＢプロセッサ１２１３とＲＦ回路１２１４を含むことができる。
【０２４０】
アンテナスイッチ１２１５の各々は、無線通信インタフェース１２１２に含まれる複数の回路（例えば、異なる無線通信方式のための回路）の間でアンテナ１２１６の接続先を切り替える。
【０２４１】
アンテナ１２１６の各々は一つの又は複数のアンテナ素子（例えば、ＭＩＭＯアンテナに含まれる複数のアンテナ素子）を含み、無線通信インタフェース１２１２による無線信号の送受信のために用いられる。図２６に示すように、スマートフォン１２００は複数のアンテナ１２１６を含んでもよい。図２６はスマートフォン１２００が複数のアンテナ１２１６を含む例を示したが、スマートフォン１２００は一つのアンテナ１２１６を含んでもよい。
【０２４２】
また、スマートフォン１２００は無線通信方式ごとのアンテナ１２１６を含んでもよい。この場合、アンテナスイッチ１２１５はスマートフォン１２００の構成から省略されてもよい。
【０２４３】
バス１２１７は、プロセッサ１２０１、メモリ１２０２、記憶装置１２０３、外部接続インタフェース１２０４、撮像装置１２０６、センサ１２０７、マイクロフォン１２０８、入力装置１２０９、表示装置１２１０、スピーカ１２１１、無線通信インタフェース１２１２及び補助コントローラ１２１９を互いに接続する。バッテリー１２１８は、図において部分的に破線で示した支線を介して図２６に示すスマートフォン１２００の各ブロックに電力を供給する。補助コントローラ１２１９は例えば、スリープモードにおいて、スマートフォン１２００の必要最低限の機能を動作させる。
【０２４４】
図２６に示すスマートフォン１２００において、図２１を使用して記述された処理回路６１０及びその中の取得ユニット６１１、抽出ユニット６１２はプロセッサ１２０１又は補助コントローラ１２１９により実現されてもよく、図２１を使用して記述された通信ユニット６３０は無線通信インタフェース１２１２により実現されてもよい。機能の少なくとも一部は、プロセッサ１２０１又は補助コントローラ１２１９により実現されてもよい。例えば、プロセッサ１２０１又は補助コントローラ１２１９は、メモリ１２０２又は記憶装置１２０３に記憶されているコマンドを実行することで情報取得機能と情報抽出機能を実行できる。
【０２４５】
図２７は、本開示の技術を応用できるカーナビゲーションデバイス１３２０の概略的な構成の一例を示すブロック図である。カーナビゲーションデバイス１３２０は、プロセッサ１３２１、メモリ１３２２、ＧＰＳ（Ｇｌｏｂａｌ  Ｐｏｓｉｔｉｏｎｉｎｇ  Ｓｙｓｔｅｍ）モジュール１３２４、センサ１３２５、データインタフェース１３２６、コンテンツプレーヤ１３２７、記憶媒体インタフェース１３２８、入力装置１３２９、表示装置１３３０、スピーカ１３３１、無線通信インタフェース１３３３、一つ又は複数のアンテナスイッチ１３３６、一つ又は複数のアンテナ１３３７及びバッテリー１３３８を含む。
【０２４６】
プロセッサ１３２１は例えばＣＰＵ又はＳｏＣであってもよく、カーナビゲーションデバイス１３２０のナビゲーション機能及びその他の機能を制御する。メモリ１３２２はＲＡＭとＲＯＭを含み、データと、プロセッサ１３２１により実行されるプログラムを記憶する。
【０２４７】
ＧＰＳモジュール１３２４はＧＰＳ衛星から受信されるＧＰＳ信号を用いて、カーナビゲーションデバイス１３２０の位置（例えば、緯度、経度及び高度）を測定する。センサ１３２５は、例えば、ジャイロセンサ、地磁気センサ及び気圧センサのセンサ群を含んでもよい。データインタフェース１３２６は、図示しない端末を介して例えば、車載ネットワーク１３４１に接続され、車両で生成されるデータ（例えば車速データ）を取得する。
【０２４８】
コンテンツプレーヤ１３２７は、記憶媒体インタフェース１３２８に挿入される記憶媒体（例えば、ＣＤ又はＤＶＤ）に記憶されているコンテンツを再生する。入力装置１３２９は、例えば表示装置１３３０のスクリーン上のタッチを検出するように配置されるタッチセンサ、ボタン又はスイッチを含み、ユーザーから入力される操作又は情報を受信する。表示装置１３３０は、例えばＬＣＤ又はＯＬＥＤディスプレイのスクリーンを含み、ナビゲーション機能の画像又は再生されるコンテンツを表示する。スピーカ１３３１は、ナビゲーション機能の音声又は再生されるコンテンツを出力する。
【０２４９】
無線通信インタフェース１３３３は、任意のセルラー通信方式（例えばＬＴＥ、ＬＴＥ−Ａｄｖａｎｃｅｄ）をサポートし、無線通信を実行する。無線通信インタフェース１３３３は、一般的に、例えばＢＢプロセッサ１３３４とＲＦ回路１３３５とを含んでもよい。ＢＢプロセッサ１３３４は例えば符号化／復号化、変調／復調及び多重化／逆多重化を実行してもよく、無線通信のための様々なタイプの信号処理を実行する。一方、ＲＦ回路１３３５は例えばミキサ、フィルタ及びアンプを含んでもよく、アンテナ１３３７を介して無線信号を送受信する。無線通信インタフェース１３３３はＢＢプロセッサ１３３４とＲＦ回路１３３５を集積したワンチップのモジュールであってもよい。図２７に示すように、無線通信インタフェース１３３３は複数のＢＢプロセッサ１３３４と複数のＲＦ回路１３３５を含んでもよい。図２７は無線通信インタフェース１３３３が複数のＢＢプロセッサ１３３４と複数のＲＦ回路１３３５を含む例を示したが、無線通信インタフェース１３３３は一つのＢＢプロセッサ１３３４又は一つのＲＦ回路１３３５を含んでもよい。
【０２５０】
また、セルラー通信方式を除き、無線通信インタフェース１３３３は他の種類の無線通信方式、例えば、近距離無線通信方式、近接無線通信方式又は無線ＬＡＮ方式をサポートしてもよい。この場合、無線通信方式ごとに、無線通信インタフェース１３３３はＢＢプロセッサ１３３４とＲＦ回路１３３５を含むことができる。
【０２５１】
アンテナスイッチ１３３６の各々は、無線通信インタフェース１３３３に含まれる複数の回路（例えば、異なる無線通信方式のための回路）の間でアンテナ１３３７の接続先を切り替える。
【０２５２】
アンテナ１３３７中の各々は、一つの又は複数のアンテナ素子（例えば、ＭＩＭＯアンテナに含まれる複数のアンテナ素子）を含み、無線通信インタフェース１３３３による無線信号の送受信のために用いられる。図２７に示すように、カーナビゲーションデバイス１３２０は複数のアンテナ１３３７を含んでもよい。図２７はカーナビゲーションデバイス１３２０が複数のアンテナ１３３７を含む例を示したが、カーナビゲーションデバイス１３２０は一つのアンテナ１３３７を含んでもよい。
【０２５３】
カーナビゲーションデバイス１３２０は無線通信方式ごとにアンテナ１３３７を含んでもよい。この場合、アンテナスイッチ１３３６はカーナビゲーションデバイス１３２０の構成から省略されてもよい。
【０２５４】
バッテリー１３３８は、図において破線で部分的に示した支線を介して、図２７に示したカーナビゲーションデバイス１３２０の各ブロックに電力を供給する。また、バッテリー１３３８は、車両側から給電される電力を蓄積する。
【０２５５】
図２７に示すカーナビゲーションデバイス１３２０において、図２１を使用して記述された処理回路６１０及びその中の取得ユニット６１１、抽出ユニット６１２はプロセッサ１３２１により実現されてもよく、そして、図２１を使用して記述された通信ユニット６３０は無線通信インタフェース１３３３により実現されてもよい。機能の少なくとも一部はプロセッサ１３２１により実現されてもよい。例えば、プロセッサ１３２１は、メモリ１３２２に記憶されているコマンドを実行することで各種の測定報告機能と中継通信機能を実行できる。
【０２５６】
本開示の内容の技術は、カーナビゲーションデバイス１３２０と、車載ネットワーク１３４１と、車両モジュール１３４２との一つ又は複数のブロックを含む車載システム（又は車両）１３４０として実現されてもよい。車両モジュール１３４２は車両データ（例えば車速、エンジン回転数、故障情報）を生成し、生成したデータを車載ネットワーク１３４１に出力する。
【０２５７】
本開示のシステムと方法において、各部品又は各ステップは分割及び／又は再組み合わせることが可能である。これらの分割及び／又は再組み合わせは本開示の均等方式と見なすべきである。そして、上記一連の処理を実行するステップは、自然に説明の順で時間順に従って実行されてもよいが、必ずしも時間順に従って実行される必要がない。いくつかのステップは並行又は独立に実行されてもよい。
【０２５８】
以上で図面を結合して本開示の実施例を詳細に記述したが、以上で記述された実施形態は、本開示を説明するためのものであり、限定するものではない。当業者にとって、上記実施形態について、本発明の本質と範囲から逸脱せず各種の修正、変更を行える。従って、本発明の範囲は付随する特許請求の範囲及びその均等意味のみにより限定される。
【図１】
2019511859.tif 000004
【図２】
2019511859.tif 000005
【図３】
2019511859.tif 000006
【図４】
2019511859.tif 000007
【図５】
2019511859.tif 000008
【図６】
2019511859.tif 000009
【図７】
2019511859.tif 000010
【図８】
2019511859.tif 000011
【図９】
2019511859.tif 000012
【図１０】
2019511859.tif 000013
【図１１】
2019511859.tif 000014
【図１２】
2019511859.tif 000015
【図１３】
2019511859.tif 000016
【図１４】
2019511859.tif 000017
【図１５】
2019511859.tif 000018
【図１６】
2019511859.tif 000019
【図１７】
2019511859.tif 000020
【図１８】
2019511859.tif 000021
【図１９】
2019511859.tif 000022
【図２０】
2019511859.tif 000023
【図２１】
2019511859.tif 000024
【図２２】
2019511859.tif 000025
【図２３】
2019511859.tif 000026
【図２４】
2019511859.tif 000027
【図２５】
2019511859.tif 000028
【図２６】
2019511859.tif 000029
【図２７】
2019511859.tif 000030
【国際調査報告】
2019511859.tif 000031
2019511859.tif 000032
2019511859.tif 000033
2019511859.tif 000034